(57)【要約】      （修正有）【課題】ベッドメイキングすること、マットレスを回転させること、ベッドスカートを再配置するためにマットレスを設置または取り外しおよび再設置することを含む、全てのサイズのベッドと関連付けられる作業を容易にするための方法の提供。【解決手段】システムは、能動モードと受動モードとを含む。能動モードにおいては、上記で言及された４つ全ての作業を実行することができる。受動モードは選択可能である。受動モードにおいて、マットレスは水平面内で容易に回転することができる。そのモード中、システムは、マットレスが回転されている間に、ベッドスカートを押し下げる。能能動モードにおいて、本発明はベッドメイキングを容易にし、したがって、ハウスキーピングスタッフを効率を増大させ、ハウスキーピングスタッフが部屋の残りの部分に注意を払うのに十分な時間を残す。能動モードはまた、ベッドスカートの設置および交換も容易にする。【選択図】図２
2018079374.tif 000002
【特許請求の範囲】
【請求項１】
マットレスと、マットレス土台と、該マットレス及び該土台の間に配置された拡張可能空気ボリュームとを含み、該拡張可能空気ボリュームが、空気入り口と、少なくとも１つの選択的に調整可能な空気出口ポートとを含み、該空気出口ポートが、前記マットレス土台に対するマットレスの持ち上げ量が選択的に制御されることが可能な、ベッドのためのマットレス管理方法であって、
前記方法は、
前記拡張可能空気ボリューム内の前記空気入り口に空気を供給するステップと、
前記マットレスと前記マットレス土台との間に１つまたは複数のシーツを挟み込むことを手助けする目的で１つまたは複数の選択的に調整可能な空気出口ポートを能動的に調整するために、前記拡張可能空気ボリューム内に留まる空気の量又は前記拡張可能空気ボリュームから放出される空気の量を選択的に制御することによって、前記土台に対するマットレスの持ち上げ量を能動的に調整するステップと
を含む、マットレス管理方法。
【請求項２】
ベッドに関連付けられる様々な作業を容易にするためのマットレス管理システムであって、
前記システムは、
マットレスと土台との間に配置されるよう構成された拡張可能空気ボリュームを形成する周縁に沿って一緒に取り付けられる２つの材料層から形成される拡張可能空気ボリュームであって、該拡張可能空気ボリューム内の１つまたは複数の箇所において前記２つの材料層を一緒に取り付けるための１つまたは複数の追加的な取り付け点を有すると共に、給気口と、前記土台に対する前記マットレスの持ち上げを選択的に調整するための調整可能空気出口弁とを含む、前記拡張可能空気ボリュームと、
前記給気口と流体連通するように構成されている空気ポンプであって、前記拡張可能空気ボリュームは、前記マットレスを前記土台に対して持ち上げている間に、前記空気ポンプによって空気が前記拡張可能空気ボリュームに連続的に圧送されているときに、空気の制御された放出が前記拡張可能空気ボリュームから放出されることを可能にするように形成される、前記空気ポンプと
を備える、マットレス管理システム。
【請求項３】
マットレスの操作に関連付けられる作業を容易にするためのマットレス管理システムであって、
前記システムは、
マットレスと土台との間に配置されるように構成されている浮揚デバイスを備え、
前記浮揚デバイスは、拡張可能空気ボリューム内の１つまたは複数の箇所において２つの材料層を一緒に取り付けるための１つまたは複数の取り付け点を有し、該拡張可能空気ボリュームを形成する周縁に沿って一緒に取り付けられる前記２以上の材料層と、外部ポンプに接続されるように構成されている給気口とを含み、
前記拡張可能空気ボリュームは、土台に対するマットレスの操作を手助けするために、前記マットレスが前記土台に対して持ち上げられている間、空気が前記拡張可能空気ボリュームに連続的に圧送されているときに、前記土台に対する前記マットレスの持ち上げ量が選択的に制御されることが可能な、少なくとも１つの調整可能空気出口孔を含む、マットレス管理システム。
【請求項４】
前記マットレス管理システムは、滑らかな側および滑らかでない側を有する第１のカバーをさらに含み、
前記カバーは、前記浮揚デバイスと一体的に形成され、
前記カバーは、前記マットレスにまたは代替的に前記土台に選択的に固定されるように構成されている、請求項３に記載のマットレス管理システム。
【請求項５】
前記カバーは、前記浮揚デバイスと協働して、前記土台に対する前記マットレスの能動操作および受動操作を容易にし、前記拡張可能空気ボリュームが膨張する能動マットレス操作モード、および、前記拡張可能空気ボリュームが膨張しない受動マットレス操作モードが規定される、請求項４に記載のマットレス管理システム。
【請求項６】
前記能動マットレス操作は、１枚もしくは複数枚のシーツを間に挟み込むこと、または、前記マットレスと前記土台との間に毛布を挟み込むことを容易にするために、前記マットレスが前記土台から浮揚される、能動マットレス操作モードにおけるベッドメイキングを可能にする、請求項５に記載のマットレス管理システム。
【請求項７】
前記受動マットレス操作モードにおける前記マットレス操作は、以下の操作作業、すなわち、
前記土台に対して前記マットレスを設置、除去、再設置、またはスライドすること、
前記土台に対して前記マットレスを回転すること、
前記マットレスが操作されている間にベッドスカートを前記土台よりも上の場所に保持すること
のうちの１つまたは複数を含む、請求項５に記載のマットレス管理システム。
【請求項８】
前記浮揚デバイスは、前記マットレスまたは前記土台の一部分として一体的に形成される、請求項３に記載のマットレス管理システム。
【請求項９】
第１の浮揚デバイスは、封入材の一部分として一体的に形成される、請求項３に記載のマットレス管理システム。
【請求項１０】
マットレスと土台との間に１枚または複数枚のベッドシーツまたは毛布を挟み込むことを容易にするためのデバイスであって、
前記デバイスは、
マットレスと土台との間に配置されるように構成されている浮揚デバイスと、
外部空気供給源から加圧空気を選択的かつ連続的に受け入れるための空気入り口と、
前記土台に対する前記マットレスの持ち上げ量を選択的に制御するための調整可能空気出口と
を備え、
前記浮揚デバイスは、前記マットレスおよび前記土台の間に配置されるように構成され、拡張可能空気ボリュームの周縁に沿って一緒に取り付けられる２つの材料層から形成される拡張可能空気ボリュームとして形成され、
前記調整可能空気出口は、前記マットレスと前記土台との間に１枚または複数枚のベッドシーツまたは毛布を挟み込むことを容易にする目的で、前記土台に対する高さを選択し、前記土台に対して前記マットレスを浮揚させるために前記拡張可能空気ボリュームを制御可能に拡張する、デバイス。
【請求項１１】
マットレスを操作するための方法であって、
（ａ１）マットレスと土台との間に、空気入り口及び持ち上げ量を制御するための調整可能空気出口を有する拡張可能ボリュームとして形成される浮揚デバイスを配置するステップと、
（ｂ）前記マットレスまたは前記土台に前記浮揚デバイスを配置するステップと、
（ｃ）前記マットレスを前記土台から浮揚させるために、前記浮揚デバイスに連続的に空気を供給するステップと、
（ｄ）前記土台に対する前記マットレスの持ち上げ量を選択的に調整するステップと、
（ｅ）能動モードにおいて前記浮揚デバイスが浮揚されている間に前記マットレスを操作するステップと
を含む、方法。
【請求項１２】
（ａ２）前記浮揚デバイスと前記マットレスまたは前記土台との間に、滑らかな表面を有するカバーを配置するステップであって、前記カバーは、前記マットレスまたは代替的に前記土台に選択的に固定されるように構成されている、配置するステップと、
（ａ３）前記浮揚デバイスが膨張する能動モード、または、前記浮揚デバイスが膨張しない受動モードにおいて前記マットレスが操作可能であるように、前記カバーを構成するステップと
を含む、ステップ（ａ２）およびステップ（ａ３）をさらに含む、請求項１１に記載の方法。
【請求項１３】
前記操作するステップは、能動モードにおいて前記マットレスと前記土台との間に１枚または複数枚のシーツまたは毛布を挟み込むことを含む、請求項１２に記載の方法。
【請求項１４】
前記カバーは、受動モードにおいて前記土台に対して前記マットレスを回転することを可能にするように構成されている、請求項１２に記載の方法。
【請求項１５】
前記カバーは、前記土台に対して前記マットレスを回転している間に、前記土台の上に配置されているベッドスカートを押し下げるように構成されている、請求項１２に記載の方法。
【発明の詳細な説明】
【技術分野】
【０００１】
関連出願の相互参照
本出願は、２０１２年６月２７日に提出された同時係属の米国特許出願第１３／５３４，６７４号の一部継続出願であり、当該特許出願は、米国特許出願第１３／０７８，３８５号の一部継続出願であり、当該特許出願は、米国特許出願第１２／７７２，５７２号、現在は米国特許第８，００６，３３１号の継続出願である。
【０００２】
本発明は、フォーインワンマットレス管理システム、ならびに、ベッドメイキングすること、マットレスを回転させること、マットレスが回転されている間にベッドスカートを適所に保持すること、例えば、ベッドスカートを再配置するためにマットレスを設置または取り外しおよび再設置することを含む、全てのサイズのベッドと関連付けられる作業を容易にするための方法に関する。
【背景技術】
【０００３】
従来のベッドは、ボックススプリングまたは下部マットレスまたはプラットフォーム（以下「土台」）および上部マットレスを含む。上部マットレスは相対的に重い物品である。マットレスの重さは、コイルコア、コイルの内径および使用される材料または発泡材料のタイプに応じて変化する。平均的なキングサイズのマットレスの重さは８５〜１１５ポンドである。ラテックスまたは形状記憶発泡体を用いた最高級のキングサイズのマットレスは、３００ポンド程度の重さであり得る（ｈｔｔｐ：／ｗｗｗ．ｍａｔｔｒｅｓｓｄｉｒｅｃｔｏｎｌｉｎｅ．ｃｏｍ）。そのため、ベッドと関連付けられる様々な作業は相対的にかなり重労働である可能性がある。
【０００４】
例えば、ホテルおよびモーテルチェーン、ならびに、病院、養護施設および長期療養施設を含む医療施設（以下「商業施設」）は、それらの施設においてフラットシーツしか使用しないことが知られているが、これは、フラットシーツがボックスシーツと比較して費用が低く、それらのそれぞれの全ての備品の中で物品をより少ないままにすることが所望されることに起因する。そのため、そのような施設においてフラットシーツを用いて適切にベッドメイキングするために、ハウスキーピング要員は、上述のように非常に重い可能性がある上部マットレスを持ち上げる必要がある。より詳細には、そのような施設において、上部シーツおよび下部シーツならびに毛布を用いてベッドメイキングされる。上部シーツおよび下部シーツの両方はフラットシーツである。
【０００５】
適切にベッドメイキングするために、上部シーツおよび下部シーツは上部マットレスと土台との間に挟み込まれる。より具体的には、下部シーツは、ベッドの各側辺に垂れるシーツの量が等しくなり、ベッドの頭領域および脚領域に垂れるシーツの量が等しくなるように、ベッド上に配置される。余分なシーツはベッドの頭領域および脚領域に挟み込まれ、いわゆる「ホスピタルコーナ」が形成される。次いで、下部シーツの余分が次にマットレスとボックススプリングとの間に挟み込まれる。その後、上部シーツが下部シーツの上に配置され、下部シーツと同じようにホスピタルコーナで配置され挟み込まれるが、頭領域は開いたままにされる。言い換えれば、上部シーツの脚部および側辺部のみがマットレスとボックススプリングとの間に挟まれる。次いで、毛布がベッドの上に配置され、上部シーツと同じように挟み込まれてもよい。
【０００６】
マットレスとボックススプリングとの間に上部シーツおよび下部シーツを挟むために、上部マットレスは通常持ち上げられなければならない。上記で言及したように、マットレスは重さが最大３００ポンドになる可能性がある。ベッドメイキングするために、ハウスキーピング従業員は、下部シーツについて４回、ならびに上部シーツおよび毛布について３回ずつで、ベッドあたり最大１０回マットレスを持ち上げる必要があり得る。ホテル、モーテルまたは医療施設の各ハウスキーピング従業員が一回のシフトで少なくとも２０〜３０のベッドメイキングすると仮定して、各ハウスキーピング従業員は一般的に、シフトあたり少なくとも１５０〜２００回マットレスを持ち上げることになる。ベッドメイキングは毎日の仕事であるため、ハウスキーピング従業員は、毎日のようにシフトあたり１５０〜２００回マットレスを持ち上げることになる可能性がある。
【０００７】
そのような持続的で反復的な持ち上げによって従業員が腰痛を発症することになり、結果として従業員が休職し、または深刻な場合には障害を受けることになる。そのような健康問題を軽減するための方策は取られてきている。例えば、単純に下部シーツにボックスシーツを使用することによって、マットレスが持ち上げられる回数が４０％低減する。しかしながら、ボックスシーツでは、それによって病院が有名になっている「ホスピタルコーナ」が下部ベッドシーツにもたらされない。その上、下部シーツにボックスシーツを使用しても、上記の例を使用するとハウスキーピング従業員は依然として一日あたり少なくとも９０〜１６０回マットレスを持ち上げる必要がある。
【０００８】
ボックスシーツを使用しても、その欠点が除かれるわけではない。例えば、ボックスシーツはフラットシーツよりも費用がかさむ。また、商業施設においてはシーツを頻繁に洗濯するため、ボックスシーツの弾性は消耗していく傾向にある。そのため、そのような施設に使用されるボックスシーツは商業施設での利用においては、ストレートシーツよりも頻繁に交換する必要がある。
【０００９】
ベッドと関連付けられる他の作業も相対的にかなり重労働である可能性がある。これらの作業は、ベッドスカートの有無にかかわらずマットレスを回転させること、ベッドスカートを交換するためにマットレスを取り外すことを含む。
【発明の概要】
【発明が解決しようとする課題】
【００１０】
したがって、これらの作業を容易にすることが必要とされている。
【課題を解決するための手段】
【００１１】
簡潔には、本発明は、フォーインワンマットレス管理システム、ならびに、ベッドメイキングすること、マットレスを回転させること、マットレスが回転されている間にベッドスカートを適所に保持すること、例えば、ベッドスカートを再配置するためにマットレスを設置または取り外しおよび再設置することを含む、全てのサイズのベッドと関連付けられる作業を容易にするための方法に関する。システムは、能動モードと受動モードとを含む。能動モードにおいては、上記で言及された４つ全ての作業を実行することができる。受動モードは選択可能である。受動モードにおいて、マットレスは水平面内で容易に回転することができる。そのモード中、システムは、マットレスが回転されている間に、存在する場合にはベッドスカートを押し下げることができる。能動モードにおいて、本発明はベッドメイキングを容易にし、したがって、ハウスキーピングスタッフの効率を増大させ、ハウスキーピングスタッフが部屋の残りの部分に注意を払うのに十分な時間を残す。能動モードは、マットレスを回転させること、マットレスが回転されている間にベッドスカートを適所に保持すること、例えば、ベッドスカートを再配置するためにマットレスを設置または取り外しおよび再設置することも容易にする。
【００１２】
本発明のこれらのおよび他の利点は、以下の明細書および添付の図面を参照することによって容易に理解されよう。
【図面の簡単な説明】
【００１３】
【図１】マットレスを水平面内で回転させる試行において、ボックススプリングによって担持されている従来のマットレスを２人の人間が持ち上げているところを示す等角投影図である。
【図２】部分的に回転されているマットレスとともに示されている、本発明を組み込んだ、ボックススプリングによって担持されている従来のマットレスを１人の人間が回転させている等角投影図である。
【図３】部分的にカバーの一側面に一体化されて示されている、本発明に使用するための浮揚デバイスの等角投影図である。
【図４】図３に示す浮揚デバイスの一部分の立面図である。
【図５】浮揚デバイスの一部分が１つのカバーに一体化されて示されている、従来のボックススプリングおよび従来のマットレスならびに本発明による２つのカバーを示す、本発明の一実施形態の分解等角投影図である。
【図６】マットレス上に設置されている、図５に示すカバーのうちの一方、および、ボックススプリング上に設置されている一方のカバーを示す、図５と同様の図である。
【図７】マットレス上に設置されている一方のカバーと、ボックススプリング上に設置されている一方のカバーとを示し、２つのカバーの滑らかな表面が互いと接している回転構成において示されている、部分的に断面の、図５に示されている実施形態の部分側立面図である。
【図８】下部カバーが、ベッドスカートを適所に固定するボックススプリング上のベッドスカートの上に配置されることになっている、図５〜図７に示す本発明の応用例の分解等角投影図である。
【図９ａ】両方の滑らかな表面が互いと接している回転構成を示す一方のカバーがマットレス上に設置され、他方のカバーがボックススプリング上に設置されて示されており、ベッドスカートの上に設置されている下部カバーを示している、図８に示されている実施形態の部分側立面図である。
【図９ｂ】図９ａと同様であるが、一方のカバーおよびマットレスが図２４ａ、図２４ｂに示すような封入材によって封入されて示されている図である。
【図１０ａ】図９ａと同様であるが、両方のカバーがマットレス上に設置されて示されており、下部カバーの滑らかでない表面がベッドスカートの表面と接している通常構成を示している図である。
【図１０ｂ】図１０ａと同様であるが、一方のカバーおよびマットレスが図２４ｂおよび図２５ｂに示すような単一カバーを用いた封入材によって封入されて示されている図である。
【図１１】回転構成において示されている、ベッドスカートが通常構成において両方のカバーを隠すのに使用されている、図８〜図１０ａに示す実施形態の代替的な応用例の図である。
【図１２】ベッドスカートがボックススプリングの上に引き下ろされて両方のカバーを隠している通常構成にある、図１１に示す応用例の部分立面図である。
【図１３】通常構成において示されている、図１２に示すボックススプリングの部分立面図である。
【図１４】マットレスに内蔵されている内部空気ポンプを含むシステムの代替的な実施形態を示し、浮揚デバイスの一部分を形成する拡張可能空気ボリューム（拡張可能空気量）に空気を供給するための空気導管をも示す、滑らかな表面がマットレスに内蔵されて示されている図である。
【図１５】図１４と同様であるが、例示的な空気ポンプを有する一実施形態を示す図である。
【図１６】浮揚デバイスの一部分とともに、滑らかな表面がマットレスおよびボックススプリングの両方に組み込まれている本発明の代替の実施形態であり、マットレスがボックススプリングから取り外され、ファスナストリップがマットレスおよびボックススプリングのコーナに組み込まれて示されている図である。
【図１７】図１６と同様であるが、互いと整列された、組み込みファスナストリップを示す、マットレスがボックススプリング上に配置されて示されている図である。
【図１８】マットレスをボックススプリングに固定するために組み込みファスナストリップに取り付けられている協働取り外し可能ファスナストリップを示す、図１７と同様の図である。
【図１９】ボックススプリングおよびマットレスの各々の上に整列されている組み込みファスナストリップを示すボックススプリング上に配置されているマットレスの一コーナを示す部分立面図である。
【図２０】図１９と同様であるが、取り外し可能ファスナストリップが、マットレスおよびボックススプリング上の組み込みファスナストリップに取り付けられて示されている図である。
【図２１】組み込みファスナがボックススプリングおよびマットレスの周縁に配置されている、ボックススプリング上に配置されているマットレスを示し、マットレスが、破線で示されている導管に接続されているマットレスの側辺に並置されている入り口ノズルを有して示されている、マットレスをボックススプリングに固定するための代替的なファスナ構成の等角投影図である。
【図２２】図２１と同様であるが、協働取り外し可能ファスナストリップが、マットレスおよびボックススプリング上の組み込みファスナストリップに取り付けられて示されている図である。
【図２３】図２２と同様であるが、マットレスおよびボックススプリング上の組み込みファスナストリップに取り付けられている取り外し可能ファスナストリップを組み込んでいるベッドスカートを示す図である。
【図２４ａ】マットレスカバーが少なくとも１つの滑らかな表面を有する保護カバーまたは封入材であり、保護カバーがマットレスから取り外され、マットレスがボックススプリングに対して浮遊して示されており、空気ポンプおよび導管が封入材に取り付けられて示されている、本発明の代替の実施形態を示す図である。
【図２４ｂ】図９ｂと同様であるが、図２４ａに示されており、ただし縫合パターンなしで封入材に内蔵されている膨脹可能容積が示されている封入材の代替的な実施形態を示す図である。
【図２５ａ】図９ｂと同様であるが、保護カバーがマットレス上に設置されて示されている図である。
【図２５ｂ】図２５ａと同様であるが、図２４ｂに示す封入材の代替的な実施形態を示す図である。
【図２６】図２５と同様であるが、プラットフォームベッドを形成するプラットフォーム上に設置されている本発明によるカバーを示し、空気入り口ノズルがマットレスの側辺上に並置されて示されている図である。
【図２７】図２６と同様であるが、本発明によるカバーを有するマットレスがプラットフォームから持ち上げられているところを示す図である。
【図２８ａ】本発明によってカバーとして使用するための材料白地の部分等角投影図であり、隣接する端部上の折り目および一コーナにおける鈍角の切り欠きを示す図である。
【図２８ｂ】図２８ａと同様であるが、折り目によって画定されるストリップを接合し、切り欠きをつなぐ弾性材料を示す図である。
【図２９ａ】図２８ａと同様であるが、鈍角以外の切り欠きを示す図である。
【図２９ｂ】折り目によって画定されるストリップ上の組み込みファスナストリップが、当該組み込みファスナストリップに部分的に取り付けられている協働取り外し可能ファスナストリップとともに示されている、図２９ａに示す材料白地を示す図である。
【図２９ｃ】図２９ｂと同様であるが、取り外し可能ファスナストリップが、組み込みファスナストリップに完全に取り付けられて示されている図である。
【図２９ｄ】カバーを適所に保持するために従来のファスナがマットレスおよび土台に取り付けられている、４つの側部パネルを有するカバーを含むマットレス管理システムの応用例を示す図である。
【図２９ｅ】カバーを適所に保持するために従来のファスナがマットレスおよび土台に取り付けられている、４つの側部パネルを有するカバーを含むマットレス管理システムの応用例を示す図である。
【図２９ｆ】図２９ｄと同様であるが、カバーを適所に保持するために使用する４つのコーナ部品のみを含む図である。
【図２９ｇ】図２９ｅと同様であるが、カバーを適所に保持するために使用する４つのコーナ部品のみを含む図である。
【図２９ｈ】土台またはマットレスに対してカバーを固定するための代替の構成を示し、側辺の接続が調整可能であるカバーを示す図である。
【図２９ｉ】土台またはマットレスに対してカバーを固定するための代替の構成を示し、側辺の接続が調整可能であるカバーを示す図である。
【図２９ｊ】側部パネルをマットレスまたは土台に固定するための別の代替の実施形態を示す図である。
【図２９ｋ】側部パネルをマットレスまたは土台に固定するための別の代替の実施形態を示す図である。
【図２９ｌ】側部パネルをマットレスまたは土台に固定するための別の代替の実施形態を示す図である。
【図２９ｍ】図２４ａまたは図２４ｂに示すような封入材に封入されているマットレスを示す、図２９ｄに示す本発明の代替の実施形態を示す図である。
【図２９ｎ】図２４ａまたは図２４ｂに示すような封入材に封入されているマットレスを示す、図２９ｄに示す本発明の代替の実施形態を示す図である。
【図２９ｏ】図２９ｆと同様であるが、マットレスがジッパ付き封入材内に被覆されている点が異なる図である。
【図２９ｐ】図２９ｇと同様であるが、マットレスがジッパ付き封入材内に被覆されている点が異なる図である。
【図３０ａ】浮揚デバイスがボックススプリングまたはカバー内に埋め込まれている、ベッドメイキングを容易にする本発明の一実施形態の分解等角投影図である。
【図３０ｂ】図３０ａと同様であるが、浮揚デバイスがマットレス内に埋め込まれて示されている図である。
【図３０ｃ】膨脹可能空気量を形成するカバーを含む図３０ａと同様の実施形態を示し、カバーが土台に取り付けられて示されている図である。
【図３０ｄ】膨脹可能空気量を形成するカバーを含む図３０ａと同様の実施形態を示し、カバーが土台に取り付けられて示されている図である。
【図３１】マットレスと、図３０ａに示す本発明の原理を組み込んでいるボックススプリングとの間にシートまたは毛布を挟んでいるユーザを示す図である。
【図３２】浮揚デバイスがボックススプリング内に埋め込まれている、図３０ａに示す本発明の一実施形態を示し、マットレスが取り外されて示されている図である。
【図３３】図３１と同様であり、マットレスおよびボックススプリングの一端の間にシーツまたは毛布を挟んでいるユーザを示し、浮揚デバイスがボックススプリング内に埋め込まれている一実施形態とともに示されている図である。
【図３４】ボックススプリング上に設置されている能動位置において示されている、図３０ａに示す本発明の部分側立面図である。
【図３５】本発明による浮揚デバイスの一実施形態を用いてマットレスとボックススプリングとの間にシーツまたは毛布を挟んでいる図である。
【図３６】本発明による浮揚デバイスの一実施形態を用いてマットレスとボックススプリングとの間にシーツまたは毛布を挟んでいる図である。
【図３７】本発明による浮揚デバイスの一実施形態を用いてマットレスとボックススプリングとの間にシーツまたは毛布を挟んでいる図である。
【図３８】浮揚デバイスがマットレスまたはボックスのいずれかの上に設置可能であるアフターマーケットデバイスとして構成され、浮揚デバイスが単一カバーから形成される、図３０ａに示す浮揚デバイスの代替の実施形態の分解等角投影図である。
【図３９】ボックススプリング上に設置されている、図３８に示すアフターマーケット浮揚デバイスを示す図である。
【図４０】浮揚デバイスがマットレスまたはボックスのいずれかの上に設置可能であるアフターマーケットデバイスとして構成され、浮揚デバイスが２つのカバーから形成される、図３０ｂに示す浮揚デバイスの別の代替の実施形態の分解等角投影図である。
【図４１】ボックススプリング上に設置され、上部カバーの一部分が取り除かれて示されている、図４０に示すアフターマーケット浮揚デバイスの等角投影図である。
【図４２】ボックススプリング上に設置され、能動動作モードにおいて示されている、図３８に示す単一カバー実施形態の部分等角投影図である。
【図４３】マットレスが上にあるボックススプリング上に設置され、浮揚デバイスが能動動作モードにおいて示されている、図３８に示す単一カバー浮揚デバイスの部分等角投影図である。
【図４４】浮揚デバイスの代替の例示的なパターンが破線で示されている、ボックススプリング上に設置されている浮揚デバイスの等角投影図である。
【図４５】浮揚デバイスの別の代替の例示的なパターンが破線で示されている、ボックススプリング上に設置されている浮揚デバイスの等角投影図である。
【図４６ａ】概して矩形の縫合パターンを有する、２シーツ単一カバー能動実施形態の等角投影図である。
【図４６ｂ】図４６ａと同様であるが、膨脹可能空気量を供給する複数の空気入り口点を示す図である。
【図４７ａ】図４６ａと同様であるが、円形縫合パターンが２枚のシーツを接合している図である。
【図４７ｂ】図４７ａと同様であるが、膨脹可能空気量を供給する複数の空気入り口点を示す図である。
【図４７ｃ】図４６ｂおよび図４７ｂに示す複数の空気入り口に使用するための例示的な逆止め弁の図である。
【図４８】矩形縫合パターンが土台に内蔵されている本発明の単一カバー実施形態を示す、土台、ベッドスカートおよび上部マットレスを有するベッドの等角投影図である。
【図４９】図４８と同様であるが、円形縫合パターンを示す図である。
【図５０】図４８と同様であるが、ベッドスカートを含まない図である。
【図５１】図４９と同様であるが、ベッドスカートを含まない図である。
【図５２】空気出口孔がなく、調整可能空気出口弁の第１の実施形態がある、矩形縫合パターンが２枚のシーツを接合している２シーツ単一カバー実施形態を示す図である。
【図５３】図５２と同様であるが、円形縫合パターンを示す図である。
【図５４】図５２および図５３に示す調整可能空気出口弁の等角投影図である。
【図５５】図５２と同様であるが、調整可能空気出口弁の第２の実施形態としてのジッパを示す図である。
【図５６】図５３と同様であるが、調整可能空気出口弁の第２の実施形態としてのジッパを示す図である。
【図５７】図５５および図５６に示すジッパの等角投影図である。
【図５８】図５２と同様であるが、空気ポンプの排出部にある調整可能空気出口弁の第３の実施形態を示す図である。
【図５９】図５３と同様であるが、調整可能空気出口弁の第３の実施形態を示す図である。
【図６０】図５８および図５９に示す調整可能空気出口弁の第３の実施形態の等角投影図である。
【図６１】完全に閉じた位置にある、図５８〜図６０に示す調整可能空気出口弁の等角投影図である。
【図６２】部分的に閉じた位置にある弁を示し、調整マークをさらに示す、図６１と同様の図である。
【図６３】第２のカバーが空気出口孔の上に配置されている、複数の中心に位置する空気出口孔を有する拡張可能量を形成する２枚のシーツの間の矩形縫合パターンを有する単一カバーを示す、本発明の代替の実施形態の図である。
【図６４】図６３と同様であるが、円形縫合パターンを示す図である。
【図６５】図５２と同様であるが、中心に位置する空気出口孔を示す図である。
【図６６】図５３と同様であるが、中心に位置する空気出口孔を示す図である。
【図６７】図５５と同様であるが、中心に位置する空気出口孔を示す図である。
【図６８】図５６と同様であるが、中心に位置する空気出口孔を示す図である。
【図６９】図５８と同様であるが、中心に位置する空気出口孔を示す図である。
【図７０】図５９と同様であるが、中心に位置する空気出口孔を示す図である。
【図７１】図６３と同様であるが、調整可能空気出口弁の第１の実施形態を含む図である。
【図７２】図６４と同様であるが、調整可能空気出口弁の第１の実施形態を含む図である。
【図７３】図６３と同様であるが、調整可能空気出口弁の第２の実施形態を含む図である。
【図７４】図６４と同様であるが、調整可能空気出口弁の第２の実施形態を含む図である。
【図７５】図６３と同様であるが、調整可能空気出口弁の第３の実施形態を含む図である。
【図７６】図６４と同様であるが、調整可能空気出口弁の第３の実施形態を含む図である。
【図７７】マットレスの裏側に設置されて示されている、本発明の単一カバーバージョンの等角投影図である。
【図７８】図７７に示す設置実施形態の分解斜視図である。
【図７９】ベッドメイキングを容易にするために使用されている本発明を示す側立断面図である。
【図８０】土台とマットレスとの間の中に挟まれる前の、ぶら下がっているベッドシーツを示す、本発明を示す部分側立断面図である。
【図８１】挟み込まれているシーツを示す部分側立断面図である。
【図８２ａ】土台上に設置されているベッドスカートを示す、マットレスの裏側に設置されている単一カバーマットレス管理システムの等角投影図である。
【図８２ｂ】図８２ａと同様であるが、ベッドスカートがなく、マットレスが図２４ａおよび図２４ｂに示すような封入材によって封入されて示されている図である。
【図８２ｃ】図８２ａと同様であるが、ベッドスカートがなく、マットレスが図２４ａおよび図２４ｂに示すような封入材によって封入されて示されている図である。
【図８３ａ】マットレスが回転されている間、ベッドスカートの上にめくり下ろされている、図８２ａに示すカバーを示す等角投影図である。
【図８３ｂ】図８３ａと同様であるが、マットレスが図２４ａおよび図２４ｂに示すような封入材内に封入されているところを示す図である。
【図８３ｃ】図８３ｂと同様であるが、ベッドスカートがない図である。
【図８３ｄ】図８３ｂと同様であるが、ベッドスカートがなく、封入材のジッパを隠しているカバーを示す図である。
【図８４】ユーザが土台からマットレスを取り外しはじめているところを示す、ベッドスカートの交換に関係する本発明の別の態様を示す図である。
【図８５】図８４と同様であるが、マットレスが部分的に取り外されているところを示す図である。
【図８６】図８５と同様であるが、カバー上の空気出口孔が露出される位置までマットレスが取り外されているところを示す図である。
【図８７】図８６と同様であるが、マットレスが完全に取り外されたところを示す図である。
【図８８】図８６と同様であるが、マットレスが空気の補助なしに取り外される受動モードを示す図である。
【図８９】図８８と同様であるが、マットレスが受動モードにおいて完全に取り外されて示されている図である。
【図９０】土台に取り付けられている本発明による単一カバーを示す、マットレスが土台の上に部分的に再設置されているところを示す図である。
【図９１】図９０と同様であるが、マットレスが土台の上に完全に設置されているところを示す図である。
【図９２】マットレスが取り外されて示されている、従来技術のベッドの等角投影図である。
【図９３】図９２と同様であるが、マットレスを分解図で示している図である。
【図９４】図９２と同様であるが、矩形縫合パターンが土台に埋め込まれており、表面が滑らかな板がマットレスの裏側にはめ込まれている、本発明のカバーの一実施形態を示す図である。
【図９５】図９４と同様であるが、本発明によるカバーがマットレスの裏側に埋め込まれて示されている図である。
【図９５ａ】図９４と同様であるが、単一カバーの２枚のシーツを接合する複数のグロメットまたは接続点を示す図である。
【図９５ｂ】図９５と同様であるが、単一カバーの２枚のシーツを接合する複数のグロメットまたは接続点を示す図である。
【図９６】図９４と同様であるが、円形または楕円形縫合パターンを示す図である。
【図９７】図９５と同様であるが、円形または楕円形縫合パターンを示す図である。
【図９８】図９４と同様であるが、調整可能空気出口弁の第１の実施形態をも示す図である。
【図９９】図９５と同様であるが、調整可能空気出口弁の第１の実施形態をも示す図である。
【図１００】図９６と同様であるが、調整可能空気出口弁の第１の実施形態をも示す図である。
【図１０１】図９６と同様であるが、調整可能空気出口弁の第１の実施形態をも示す図である。
【図１０２】図９４と同様であるが、調整可能空気出口弁の第２の実施形態をも示す図である。
【図１０３】図９５と同様であるが、調整可能空気出口弁の第２の実施形態をも示す図である。
【図１０４】図９６と同様であるが、調整可能空気出口弁の第２の実施形態をも示す図である。
【図１０５】図９７と同様であるが、調整可能空気出口弁の第２の実施形態をも示す図である。
【図１０６】図９６と同様であるが、調整可能空気出口弁の第３の実施形態をも示す図である。
【図１０７】図９７と同様であるが、調整可能空気出口弁の第３の実施形態をも示す図である。
【図１０８】図９６と同様であるが、調整可能空気出口弁の第３の実施形態をも示す図である。
【図１０９】図９７と同様であるが、調整可能空気出口弁の第３の実施形態をも示す図である。
【図１１０】第２のカバーがプラットフォーム内に埋め込まれている空気出口孔の上に配置されている、複数の中心に位置する空気出口孔を有する拡張可能量を形成する２枚のシーツの間の矩形縫合パターンを有する単一カバーを示す、本発明の代替の実施形態の図である。
【図１１１】図１１０と同様であるが、単一カバーがマットレスの裏側に埋め込まれて示されている図である。
【図１１２】図１１０と同様であるが、円形または楕円形縫合パターンを示す図である。
【図１１３】図１１１と同様であるが、円形または楕円形縫合パターンを示す図である。
【図１１４】図１１３と同様であるが、内蔵ポンプを示す図である。
【図１１５】図１１２と同様であるが、内蔵ポンプを示す図である。
【図１１６】図１１３と同様であるが、空気出口を有さず示されており、空気を放出するのにマットレスに使用される材料の多孔性に依拠する図である。
【図１１７】マットレスカバーに使用される材料の多孔性に基づく、矢印が示すような流出する空気を示す、マットレス内の材料の一区画の分解断面図である。
【図１１８】図９８と同様であるが、空気出口孔が設けられていない点が異なる図である。
【図１１９】図９９と同様であるが、空気出口孔が設けられていない点が異なる図である。
【図１２０】図１０２と同様であるが、空気出口孔が設けられていない点が異なる図である。
【図１２１】図１０３と同様であるが、空気出口孔が設けられていない点が異なる図である。
【図１２２】マットレスが調整された位置で示されている、調整可能プラットフォームを有する従来のベッドの等角投影図である。
【図１２３】図１１４と同様であるが、調整可能プラットフォームによって担持されている本発明による単一カバーを示す図である。
【図１２４】図１１５と同様であるが、本発明による単一カバーがマットレスの裏側に埋め込まれて示されている図である。
【図１２５】空気を放出するのにカバーの多孔性に依拠する、矩形縫合パターンを有する本発明による一体成形カバーを示す図である。
【図１２６】円形縫合パターンが示されていることを除いては同様の図である。
【図１２６ｂ】例示的な多孔性を材料を通じた空気逃しを示す図である。
【図１２７】図１２５と同様であるが、実施形態が空気を放出するための空気出口孔を含む点が異なる図である。
【図１２８】図１２６と同様であるが、実施形態が空気を放出するための空気出口孔を含む点が異なる図である。
【図１２９】土台の上にベッドスカートを含む応用例においてマットレスの裏側に矩形縫合パターンが取り付けられている一体成形カバーを示す、本発明によるマットレス管理システムの一実施形態の分解等角投影図である。
【図１３０】図１２９と同様であるが、円形縫合パターンを示す図である。
【図１３１】図１２９と同様であるが、一体成形カバーが上部マットレスから取り外されているところを示し、空気を取り入れるための大体の位置を示す図である。
【図１３２】図１３１と同様であるが、空気が膨らむように土台に取り付けられている一体成形カバーを示す図である。
【図１３３】図１２９と同様であるが、内蔵式であり、ベッドスカートがない図である。
【図１３４】図１３０と同様であるが、内蔵式であり、ベッドスカートがない図である。
【図１３５ａ】楕円形縫合パターンを有する、本発明による一体成形カバーの等角投影図である。
【図１３６ａ】図１３５ａと同様であるが、矩形ドーナツ型縫合パターンを有し、空気出口孔がなく、調整可能空気出口弁の一実施形態を有する図である。
【図１３７】図１３５ａと同様であるが、大文字Ｉ型縫合パターンを示す図である。
【図１３８】図１３５ａと同様であるが、大文字Ｘ型縫合パターンを有し、空気出口孔を示し、調整可能空気出口弁がない図である。
【図１３９ａ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｂ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｃ】図９５と同様の図である。
【図１３９ｄ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｅ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｆ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｇ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｈ】図９５と同様の図である。
【図１３９ｉ】図９５と同様の図である。
【図１３９ｊ】図９５と同様の図である。
【図１４０ａ】図９５と同様であるが、示されており、カバーをマットレスに選択的に固定するための、カバーおよびマットレスの両方の上の取付部材を有して示されている図である。
【図１４０ｂ】図９５と同様であるが、示されており、カバーをマットレスに選択的に固定するための、カバーおよびマットレスの両方の上の取付部材を有して示されている図である。
【図１４１ａ】図１４０ａおよび図１４０ｂと同様であるが、マットレスが、図２４ａと同様の封入材内に封入されている一実施形態を示す図である。
【図１４１ｂ】図１４０ａおよび図１４０ｂと同様であるが、マットレスが、図２４ａと同様の封入材内に封入されている一実施形態を示す図である。
【図１４１ｃ】図１４０ａおよび図１４０ｂと同様であるが、マットレスが、図２４ａと同様の封入材内に封入されている一実施形態を示す図である。
【図１４２ａ】図１４１ａ〜図１４１ｃと同様であるが、土台をマットレスに固定するための異なる方法を示す図である。
【図１４２ｂ】図１４１ａ〜図１４１ｃと同様であるが、土台をマットレスに固定するための異なる方法を示す図である。
【図１４３】図１６〜図１８と同様であるが、例えば、図１４４ｂに示す取付部材を用いてマットレスを土台に固定する代替的な方法を示す図である。
【図１４４ａ】図１６〜図１８と同様であるが、例えば、図１４４ｂに示す取付部材を用いてマットレスを土台に固定する代替的な方法を示す図である。
【図１４４ｂ】雄型取付部材と、協働する雌型取付部材とを備える従来の取付デバイスを示す図である。
【図１４５】図１３９ｇと同様であるが、カバーが側部パネルを有さず、垂直取付部材がカバーの端部に取り付けられている点が異なる図である。
【図１４６】図１３９ｇと同様であるが、カバーが側部パネルを有さず、垂直取付部材がカバーの端部に取り付けられている点が異なる図である。
【図１４７】図１３９ｇと同様であるが、カバーが側部パネルを有さず、垂直取付部材がカバーの端部に取り付けられている点が異なる図である。
【図１４８】図１３９ｇと同様であるが、カバーが側部パネルを有さず、垂直取付部材がカバーの端部に取り付けられている点が異なる図である。
【図１４９】図１３９ｈと同様であるが、カバーが側部パネルを有さず、垂直取付部材がカバーの端部に取り付けられている点が異なる図である。
【図１５０】図１３９ｈと同様であるが、カバーが側部パネルを有さず、垂直取付部材がカバーの端部に取り付けられている点が異なる図である。
【図１５１】図１３９ｈと同様であるが、カバーが側部パネルを有さず、垂直取付部材がカバーの端部に取り付けられている点が異なる図である。
【図１５２】図８４〜図９１と同様であるが、マットレスが図２４ａまたは図２４ｂに示すような封入材内に封入されているところを示す図である。
【図１５３】図８４〜図９１と同様であるが、マットレスが図２４ａまたは図２４ｂに示すような封入材内に封入されているところを示す図である。
【図１５４】図８４〜図９１と同様であるが、マットレスが図２４ａまたは図２４ｂに示すような封入材内に封入されているところを示す図である。
【図１５５】図８４〜図９１と同様であるが、マットレスが図２４ａまたは図２４ｂに示すような封入材内に封入されているところを示す図である。
【図１５６】図８４〜図９１と同様であるが、マットレスが図２４ａまたは図２４ｂに示すような封入材内に封入されているところを示す図である。
【図１５７】図８４〜図９１と同様であるが、マットレスが図２４ａまたは図２４ｂに示すような封入材内に封入されているところを示す図である。
【発明を実施するための形態】
【００１４】
本発明は、フォーインワンマットレス管理システム、ならびに、ベッドメイキングすること、マットレスを回転させること、マットレスが回転されている間にベッドスカートを適所に保持すること、例えば、ベッドスカートを再配置するためにマットレスを設置または取り外しおよび再設置することを含む、全てのサイズのベッドと関連付けられる作業を容易にするための方法に関する。
【００１５】
図１〜図２９ｐは、マットレスを水平面内で回転させるための能動マットレススピンナに関する。図３０ａ〜図４３は、上部マットレスを持ち上げる必要なくベッドメイキングすることを容易にするための方法に関する。図４４、図４５、および図１３５ａ〜図１３８は、上述の様々な実施形態のための代替の縫合パターンを示す。
【００１６】
図７９〜図８１は、ベッドメイキングを容易にするための本発明の使用を示す。図８２ａ〜図８２ｃ、図８３ａおよび図８３ｂは、マットレス回転を示す。図８３ｃ、図８３ｄ、図８４〜図９１および図１５２〜１５７は、例えば、ベッドスカートを交換するための、マットレスの設置または取り外しおよび再設置を示す。
【００１７】
本発明の様々な実施形態が示されている。図４６ａ〜図４７ｂ、図５２、図５３、図５５、図５６、図５８、図５９、図６３〜図７８、図９５、図９５ａ、図９５ｂ、図１２５〜図１２８、図１３１ａ〜図１４２ｂおよび図１４５〜図１５１は、本発明の単一の反転可能なカバーの実施形態を示す。図４９〜図５１、図９４、図９６〜図１２４、および図１４３は、本発明の埋め込み実施形態を示す。図１２９〜図１３０は、単一の反転可能なカバーおよび埋め込みカバーを有する実施形態を示す。
【００１８】
本発明は、様々な用途に使用するのに適している。これらの用途は、従来のベッドおよびマットレス、マットレスが封入材によって被覆されている従来のベッドおよびマットレスを含む。本発明の原理は、ジッパ着脱可能下部パネルを有するマットレスカバー内に封入される発泡マットレスにも適用可能である。本発明は、固定および調整可能プラットフォームによって支持されるマットレスに対しても使用することができる。
【００１９】
マットレス管理システム
本発明は、マットレス管理システムに関する。本発明の一実施形態において、マットレス管理システムは、縫合のような任意の従来の手段によってともに締結される２枚の材料から形成される一体成形カバーとして形成される膨脹可能空気ボリューム（膨脹可能空気量）を含む。カバーは、カバーをマットレスの裏面または土台に取り付けるための側部パネルをさらに含む。本明細書において使用される場合、土台は、静止プラットフォーム、調整可能プラットフォームまたはボックススプリングを含むように定義される。
【００２０】
マットレス管理システムは、上述のように、能動モード、または、能動モードおよび受動モードから構成されるデュアルモードにおいて操作され得る。空気ポンプからの空気を受け入れるように、空気入り口ノズルが設けられる。マットレス管理システムは、マットレスに関する以下の作業が実行されることを可能にする。これらの作業は、
・ベッドメイキング
・例えば、ベッドスカートを交換するための、マットレスの設置または取り外しおよび再設置、
・水平面内でのマットレスの回転、
・ベッドスカートが使用される応用例における、ベッドスカートの適所への保持
を含む。
【００２１】
マットレス管理システムは、能動モードにおいて使用され得、能動モードにおいては、ベッドメイキングおよびマットレス回転を、空気ポンプからの空気の影響下で行うことができる。デュアルモードにおいては、ベッドメイキングは空気ポンプからの空気流の影響下で行われ、マットレス回転は、受動モードにおいて、カバーの裏面と、マットレスまたは土台の裏側の間の摩擦係数との間の相対摩擦係数に基づいて達成される。マットレス管理システムは、上述の４つの機能のうちの１つまたは複数をもたらすように構成され得る。
【００２２】
マットレス回転は、能動モードまたは受動モードにおいて達成することができる。受動モードにおいて、カバーは最初はマットレスの裏側に取り付けられており、それによって、空気出口孔が、例えば、土台に向かって下向きになっている。受動モードにおいてマットレスを回転させるために、カバーがマットレスから土台へとめくり下ろされる、すなわち、マットレス回転のためにマットレスから取り外されて土台に取り付けられる。ベッドスカートが使用されている場合、マットレスが回転されている間にカバーはベッドスカートを適所に保持することになる。この位置において、カバーの裏面はマットレスの裏面と接している。後述するように、カバーの裏面を相対的に滑らかな表面を用いて形成することによって、マットレスは相対的に容易に回転することができる。マットレスが能動モードにおいて回転される場合、カバーは好ましくは、空気出口孔が上向きになっている土台に取り付けられる。このモードにおいて、マットレスはわずかに浮揚されており、マットレスの回転が容易になる。そのため、カバーは、空気出口孔が上または下に向いている応用例に使用することができる。
【００２３】
下記により詳細に説明されるように、能動モードにおいて、本発明の原理は、後述するように、マットレスに関する様々な作業が実行されることを可能にするために、選択された抵抗に対して膨脹可能空気量から空気の制御された放出に基づく。下記に説明されるように、本発明の概念の様々な実施形態が企図される。例えば、膨脹可能空気量は、１つまたは複数の空気出口孔および／または調整可能空気出口弁を含んでもよい。調整可能空気出口弁の様々な実施形態が、下記に例示および説明されるように企図される。空気出口孔または空気出口弁に対する代替形態として、またはそれと組み合わせて、空気袋に使用される材料の多孔性または空気袋と接している材料の多孔性が、制御された放出をもたらすように選択されてもよい。その上、制御された放出は、例えば、空気出口孔と接することになる材料の特性に応じて、空気の放出を制御するために、空気出口孔の上に補助インターフェース材料を取り付けることを含んでもよい。
【００２４】
概して、膨脹可能空気量は、例えば、後述するように、縫合または他の従来の方法によってともに取り付けられる後述のような２枚の材料から形成される。下記により詳細に例示および説明するように、本発明の原理は、様々な縫合パターンに適用され、事実、実質的に任意の縫合パターンに適用される。本発明のいくつかの実施形態において、膨脹可能空気量を形成する２枚の材料の中心点が、グロメット、縫合その他によってともに取り付けられる。他の実施形態において、２枚の材料の中心点はともに取り付けられない。膨脹可能空気量に適切な材料が下記に説明される。
【００２５】
膨脹可能空気量をマットレスまたは土台に取り付けるために、様々な実施形態が企図される。一実施形態において、膨脹可能空気量は、マットレスまたは土台の中に埋め込まれる。他の実施形態において、膨脹可能空気量は側部パネルを含む。これらの側部パネルは、膨脹可能空気量をマットレスまたは土台に取り付けるのに使用される。側部パネルの様々な実施形態が下記に説明される。上述の実施形態に加えて、カバーは封入材またはマットレスプロテクタの１つのパネルとして組み込まれてもよく、これは少なくとも部分的に、マットレス全体にわたって滑る防水であってもよい。この実施形態において、本発明によるカバーは、土台と接することになる封入材の下部パネルに組み込まれる。
【００２６】
マットレス管理システムは、導管および空気ポンプをも含む。いくつかの実施形態において、空気ポンプおよび導管は、マットレスまたは土台の外部にある。上述のように、膨脹可能空気量がマットレスまたは土台に埋め込まれる他の応用例において、空気ポンプおよび導管は、マットレスまたは土台に内蔵されてもよい。図４６ｂおよび図４７ｂに示すようないくつかの実施形態において、複数の空気入り口ノズルが、拡張可能空気量の周縁にわたって設けられてもよい。各空気入り口ノズルは、図４７ｃに示すような逆止め弁を設けられてもよい。
【００２７】
本発明によるマットレス管理システムを形成するために、本明細書に説明するような本発明の様々な置換例の１つまたは複数を組み合わせることができる。全てのそのような組み合わせが本開示の広い範囲内にあると考えられる。それらの置換例の例示的な組み合わせのみが例示および後述されていることは理解されたい。
【００２８】
図４６ａ〜図７６および図１３５ａ〜図１３８は、マットレス管理システムの様々な例示的な実施形態を示す。図２４ａおよび図２４ｂは、封入材の実施形態を示す。封入材バージョンの他の実施形態は、空気出口孔、調整可能空気出口弁の使用、および、膨脹可能空気量を形成する２枚のシーツの中心点の取付に関して上述されている。
【００２９】
図４６ａおよび図４７ａは、それぞれ、例示的な独立したカバー３００および３０３の対、例えば、パッケージ化アフターマーケット付属品を示している。これらのカバー３００、３０２は各々、概して参照符号３０６によって識別される側部パネルに取り付けられている膨脹可能空気量部分３０４を含み、これによって、カバー３００、３０２がマットレスまたは土台の裏面（図示せず）に取り付けられることが可能になる。各カバー３００、３０２はそれぞれ、導管２９０および空気ポンプ２５０に取り付けるための空気入り口ノズル３０８および３１０を含む。
【００３０】
両方のカバー３００、３０２が、概して参照符号３１２によって識別される複数の空気出口孔を含む。膨脹可能空気量部分３０４を構成するシーツは、概して参照符号３１４によって示されるような、それらの中心点においてともに取り付けられる。これらの実施形態の唯一の差は、縫合パターンである。カバー３００は、線３１６によって示されるように矩形縫合パターンによって形成され、カバー３０２は、線３１８によって示されるように概して円形の縫合パターンを含む。
【００３１】
カバー３００および３０２は、パッケージ化アフターマーケット寝具付属品を示し、中心縫合の周囲の４つの空気出口孔、周縁縫合ポリエステル側部スカート材料、および、空気ポンプに取り付けられている空気入り口ホースに対応するための空気入り口を有する、周縁および中心縫合を介してともに接合されている、ナイロンリップストップ織物（一方の面をポリウレタンコートされている）から成る２枚の個々のキングサイズシーツから構成される、単一カバーＢｅｄＭａｋｅｒ（商標）ユニットを含む。起動されると、ポンプは、マットレスとマットレス土台との間にシーツを挟むのを容易にする目的でマットレス浮揚をもたらすために、２層の接合ナイロン織物によってもたらされる、拡張可能量に対する連続的な空気源を提供する。このサンプルは、ＢｅｄＭａｋｅｒ（商標）技術のパッケージ化アフターマーケット寝具付属品変形例として、マットレスまたは土台のいずれか一方に容易に設置されるように設計されている。
【００３２】
カバー３００および３０２の例示的な仕様を下記に記載する。
・織物３００、３０２：    ２×ポリウレタンコートナイロンリップストップのシーツ、各々７５インチ×７９インチ
・側部パネル３０６：    １×ポリウレタンコートポリエステルジャージニット材料、奥行き１０インチ
・導管２９０：    １×ＰＶＣホース、内径１．５インチ×長さ２．５フィート
・空気ポンプ２５０：    １×コールマン１２０Ｖ電気クイックポンプ（モデル番号５９９９Ｃ１２０）
【００３３】
２カバーバージョンのパッケージ化アフターマーケットバージョンが企図される。２カバーバージョンは、中心縫合の周囲の４つの空気出口孔、周縁縫合ポリエステル側部スカート材料、および、空気ポンプに取り付けられている空気入り口ホースに対応するための空気入り口を有する、周縁および中心縫合を介してともに接合されている、ナイロンリップストップ織物（一方の面をポリウレタンコートされている）から成る２枚の個々のキングサイズシーツから構成される。起動されると、ポンプは、マットレスとマットレス土台との間にシーツを挟むのを容易にする目的でマットレス浮揚をもたらすために、２層の接合ナイロン織物によってもたらされる、拡張可能量に対する連続的な空気源を提供する。このサンプルは、ＢｅｄＭａｋｅｒ（商標）技術のパッケージ化アフターマーケット寝具付属品変形例として、マットレスまたは土台のいずれか一方に容易に設置されるように設計されている。加えて、周縁縫合ポリエステル側部スカート材料を有する第２の単一層ナイロンリップストップカバー（一方の面はポリウレタンコートされており／他方の面はスリックコートされている）は、単一カバーＢｅｄＭａｋｅｒ（商標）ユニットと協働して、このカバーをマットレスの上にめくり上げるか、または、土台の上にめくり下ろすことによるマットレス操作を可能にする。
【００３４】
２カバーバージョンの例示的な仕様を下記に記載する。
・織物：    ２×ポリウレタンコートナイロンリップストップのシーツ、各々７５インチ×７９インチ
・第２のカバーの織物：    １×ポリウレタン／スリックコートナイロンリップストップのシーツ、各々７５インチ×７９インチ
・側部パネル：    ２×ポリウレタンコートポリエステルジャージニット材料、奥行き１０インチ
・導管：１×ＰＶＣホース、内径１．５インチ×長さ２．５フィート
・空気ポンプ：    １×コールマン１２０Ｖ電気クイックポンプ（モデル番号５９９９Ｃ１２０）
【００３５】
図４８および図４９は図４６ａおよび図４７ａと同様であるが、本発明による埋め込まれているバージョンのカバーを示す。まず図４８を参照すると、膨脹可能空気量部分３０４が、縫合または他の従来の方法のような従来の手段によって、土台３２２、例えば、ボックススプリングに取り付けられている。膨脹可能空気量部分３０４は、代替的に、土台３２２の上にあるマットレス３２４の裏面に埋め込まれていてもよい。ベッドスカート３２６は、土台３２２とマットレス３２４との間に入れられてもよく、この応用例においては、説明されたような４つ全ての作業はサポートされない。具体的には、ベッドスカート３２６は、マットレス回転中は押し下げられない。そのため、この実施形態は主としてベッドメイキングに使用される。
【００３６】
図４９は図４８と同様である。この実施形態において、カバー３０２は上述のように土台３０６に取り付けられる。図４８と図４９とに示されている実施形態の間の唯一の差は、上述のような縫合パターンである。
【００３７】
図５０および図５１は、それぞれ図４８および図４９と同様である。唯一の差は、この応用例においてはベッドスカートは使用されないという点である。そのため、この応用例においては、ベッドメイキング、マットレス回転、および土台からのマットレスの取り外しに、マットレス管理システムを使用することができる。
【００３８】
これらの実施形態は、中心縫合の周囲の４つの空気出口孔、周縁縫合ポリエステル側部スカート材料、および、空気ポンプに取り付けられている空気入り口ホースに対応するための空気入り口を有する、周縁および中心縫合を介してともに接合されている、ナイロンリップストップ織物（１枚のシーツの一方の面をポリウレタンコートされており、他方のシーツをポリウレタン／スリックコートされている）から成る２枚の個々のキングサイズシーツから構成される、単一カバーＢｅｄＭａｋｅｒ（商標）ユニットの埋め込みＯＥＭサンプルに関する。起動されると、ポンプは、マットレスとマットレス土台との間にシーツを挟むのを容易にする目的でマットレス浮揚をもたらすために、２層の接合ナイロン織物によってもたらされる、拡張可能量に対する連続的な空気源を提供する。この実施形態は、ＢｅｄＭａｋｅｒ（商標）技術の内蔵（ＯＥＭ）変形例をシミュレートするために、マットレス３２４または土台３２２のいずれか一方に取り付けるように設計されている。加えて、単一カバー実施形態は、上記マットレスまたは土台から分離し、マットレス操作を容易にするために、ジッパまたは他の取付手段によって、マットレスまたは土台の他方に取り付けることができる。
【００３９】
ＯＥＭ埋め込みサンプルの例示的な仕様は以下の通りである。
・織物３０４：    ２×ポリウレタン／スリックコートナイロンリップストップのシーツ、各々７５インチ×７９インチ
・側部パネル３２２：    １×ポリウレタンコートポリエステルジャージニット材料、奥行き１０インチ
・導管２９０：    １×ＰＶＣホース、内径１．５インチ×長さ２．５フィート
・空気ポンプ２５０：    １×コールマン１２０Ｖ電気クイックポンプ（モデル番号５９９９Ｃ１２０）
【００４０】
図４８〜図５１は、土台３２２またはマットレス３２４のいずれかに埋め込まれている単一カバー埋め込みバージョンを示す。図４１に示すように、代替的な２カバーバージョンも企図される。２カバーバージョンは、中心縫合の周囲の４つの空気出口孔、および、空気ポンプに取り付けられている空気入り口ホースに対応するための空気入り口を有する、周縁および中心縫合を介してともに接合されている、ナイロンリップストップ織物（一方の面をポリウレタンコートされている）から成る２枚の個々のキングサイズシーツから構成される。起動されると、ポンプは、マットレスとマットレス土台との間にシーツを挟むのを容易にする目的でマットレス持ち上げを可能にするために、２層の接合ナイロン織物によってもたらされる、拡張可能量に対する連続的な空気源を提供する。このサンプルは、ＢｅｄＭａｋｅｒ（商標）技術の内蔵（ＯＥＭ）変形例をシミュレートするために、マットレスまたは土台のいずれか一方に取り付けるように設計されている。加えて、周縁縫合ポリエステル側部スカート材料を有する第２の単一層ナイロンリップストップカバー（一方の面はポリウレタンコートされており／他方の面はスリックコートされている）は、単一カバーＢｅｄＭａｋｅｒ（商標）ユニットと協働して、このカバーをマットレスの上にめくり上げるか、または、土台の上にめくり下ろすことによるマットレス操作を可能にする。
【００４１】
２カバーバージョンの例示的な仕様は以下の通りである。
・織物：    ２×ポリウレタンコートナイロンリップストップのシーツ、各々７５インチ×７９インチ
・第２のカバーの織物：    １×ポリウレタン／スリックコートナイロンリップストップのシーツ、各々７５インチ×７９インチ
・側部パネル：    １×ポリウレタンコートポリエステルジャージニット材料、奥行き１０インチ
・導管：    １×ＰＶＣホース、内径１．５インチ×長さ２．５フィート
・空気ポンプ（Ｐ）：    １×コールマン１２０Ｖ電気クイックポンプ（モデル番号５９９９Ｃ１２０）
【００４２】
図５２〜図６２および図６５〜図７０は、本発明によるマットレス管理システムを形成するカバーの様々な例示的な実施形態を示す。図５２、図５３、図５５、図５６、図５８、図５９は、カバーを形成する２枚のシーツの中心点が参照符号３１４によって示されるようにともに取り付けられているカバー３２８、３３０、３３２、３３４、３３６および３３８の実施形態を示す。これらの実施形態においては、空気出口孔は設けられず、空気放出は調整可能空気出口弁によって制御される。
【００４３】
カバー３２８および３３０は、図５４に示すような、第１のタイプの調整可能空気出口弁３４０を含んでもよい。図示のように、調整可能空気出口弁３４０は調整マークを含んでもよく、そのため、例えば、ホテルハウスキーパは、自身の制御下で全てのベッドを同じ値に迅速かつ容易にセットすることができる。
【００４４】
カバー３３２および３３４は、図５７に示すような、第２のタイプの調整可能空気出口弁３４２、例えば、ジッパを含んでもよい。図示のように、調整可能空気出口弁３４２は調整マークを含んでもよく、そのため、例えば、ホテルハウスキーパは、自身の制御下で全てのベッドを同じ値に迅速かつ容易にセットすることができる。
【００４５】
カバー３３６および３３８は、図６０〜図６２に示すような、第３のタイプの調整可能空気出口弁３４４を含んでもよい。図示のように、調整可能空気出口安全弁３４４は、空気ポンプ２５に取り付けられている導管２９０に組み込まれる。調整可能空気出口弁３４４は調整マークを含んでもよく、そのため、例えば、ホテルハウスキーパは、自身の制御下で全てのベッドを同じ値に迅速かつ容易にセットすることができる。
【００４６】
図６５〜図７０は、図５２、図５３、図５５、図５６、図５８および図５９に示す実施形態と同様である。参照符号３４６、３４８、３５０、３５２、３５４および３５６によって識別されるこれらの実施形態は全て、空気出口孔３１２と、調整可能空気出口弁３４０（図５４）；３４２（図５７）または３４４（図６０〜図６２）のうちの１つとを含む。
【００４７】
図６３、図６４、図７１〜図７６は、空気流に抵抗するために、空気出口孔の上の別個の材料片を利用する、本発明の例示的な実施形態を示す。本発明の原理の１つは、空気出口孔と接する接合材料が流出する空気流に対するいくらかの抵抗をもたらさなければならないということである。多くの応用例において、マットレスまたは土台の裏面の材料の多孔性は、マットレスの浮揚を引き起こすために十分な抵抗をもたらすのに十分なものである。他の応用例において、インターフェース材料の多孔性は十分でない。それらの応用例において、図示のように、補助インターフェース材料、例えば、ナイロンリップストップの小片が、カバー３００、３０２、３５０、３５２、３４６、３４８、３５４および３５６の空気出口孔３１２の上に配置される。補助インターフェース材料３５８は、ベルクロ（登録商標）、縫合または他の取付手段のような様々な従来の取付手段によって、様々なカバー３００、３０２、３５０、３５２、３４６、３４８、３５４および３５６に取り付けられてもよい。
【００４８】
図７７は、マットレス管理システムの例示的な応用例を示す。この実施形態において、カバー３５８は、土台３６４の上にあるマットレス３６０の裏面に設置される（図７８）。ベッドスカート３６２が土台３６４上に配置される。図７８に示すように、カバーはマットレス３６０に取り付けられ、それによって、空気孔が高くなり、マットレス３６０の裏面に接する。代替的に、カバー３５８は、空気が下向きに流れるようにマットレスに対して並置されていてもよい（図示せず）。
【００４９】
図７９〜図８１は、ベッドメイキングについての、図７８および図７９に示すマットレス管理システムの使用を示す。図７９および図８０に示すように、カバー３５８の膨脹可能空気量
【００５０】
部分が膨脹し、マットレス３６０を土台３６４から持ち上げる。これは、図８１に示すように、ベッドシーツ３６６が容易に挟み込まれるようにするためである。
【００５１】
図８２ａおよび図８３ａは、図７８に示すような応用例における、土台３６４に対するマットレス３６０のマットレス回転を示す。図７８に示すように、カバー３５８は最初、マットレス３６０の裏面に取り付けられている。マットレス３６０を回転させるために、カバー３５８がめくり下ろされ、すなわち、マットレス３６０から分離されて、図８２ａに示すように、ベッドスカート３６２の上で土台３６４に取り付けられる。この位置において、カバー３５８がベッドスカート３６２を適所に保持し、一方で図８３に示すように、マットレス３６０が回転される。マットレスが所望の位置まで回転されると、カバー３５８はマットレス３６０の裏面に再取付けされてもよい。
【００５２】
図８２ｂおよび図８２ｃは図８２ａおよび図８３ａと同様であるが、ベッドスカートがなく、マットレスが図２４ａおよび図２４ｂに示すような封入材内に封入されて示されている。図８３ｂは、図８３ａと同様であるが、マットレスが図２４ａおよび図２４ｂに示すような封入材内に封入されて示されている。図８３ｃは図８２ｂと同様であるが、ベッドスカートがなく、カバーがめくり上げられているときに、どのように封入材のジッパを隠しているかを示す。
【００５３】
図８４〜図９１は、例えば、ベッドスカート３６２を交換するためにプラットフォーム３６４からマットレス３６０を取り外し、ベッドスカート３６２が取り外されて任意選択的に交換された後にプラットフォーム３６４の上にマットレス３６０を再設置するためにマットレス管理システムが使用されているところを示す。
【００５４】
図８４〜図８７は、プラットフォーム３６４からマットレスを取り外すための、空気補助応用例を示す。図８８および図８９は、空気補助を用いない応用例を示す。図９０および図９１は、プラットフォーム３６４の上にマットレス３６０を再設置しているところを示す。
【００５５】
まず図８４〜図８７を参照すると、カバー３５８がマットレス３６０の裏面から分離され、図８４に示すように、ベッドスカート３６２の上でプラットフォーム３６４に取り付けられる。図８５に示すように、空気ポンプ２５０からの空気補助が、プラットフォーム３６４に対してマットレス３６０をわずかに持ち上げ、わずかな労力でマットレスが矢印３６６の方向に押されることが可能になる。このモーメント矢印は、図８７に示すようにマットレス３６０が土台３６４から完全に離れるまで、図８６に示すようにマットレス３６０が通常よりも相対的に少ない労力で連続的に押されることを可能にする。
【００５６】
図８８および図８９は、空気ポンプ２５０からの空気補助を用いない土台３６４からのマットレス３６０の取り外しを示す。この応用例において、カバー３５８がマットレス３６０の裏面から分離され、プラットフォーム３６４に取り付けられて、ベッドスカート３６２が適所に保持される。この実施形態において、カバー３５８は、ベッドスカート３６２を乱すことなくマットレスが押されプラットフォーム３６４から滑り下ろされることを可能にする相対的に滑らかな表面をもって形成される。
【００５７】
全ての実施形態において、マットレス３６０がプラットフォーム３６４から完全に取り外されると、カバー３５８およびベッドスカート３６２が取り外される。新たなベッドスカート３６２がプラットフォーム３６４の上に配置され、カバー３５８がベッドスカート３６２の上でプラットフォーム３６４に取り付けられる。
【００５８】
空気補助応用例および非空気補助応用例の両方において、マットレス３６０は、概して図９０に示すように、重力の影響下で土台の上で並置される。図示のように、マットレス３６０は空気出口孔３１２にかかる。空気補助応用例において、マットレス３６０は、図９１に示すように、少ない労力で押されるか、または定位置へと押されることができる。非空気補助応用例において、マットレスは、図９１に示すようにカバー３５８の滑らかな表面に起因して相対的に少ない労力で定位置へと押されることができる。両方の応用例において、図９１に示すように、マットレス３６０が適所にくると、カバー３５８がプラットフォーム３６４から分離され、マットレス３６０の裏面に再取付される。
【００５９】
図１５２〜図１５７は図８４〜図９１と同様であるが、マットレスが図２４ａまたは図２４ｂに示すような封入材内に封入されているところを示す図である。
【００６０】
図９２は、従来技術において既知であるマットレス３６６および土台３６８を示す。図９３は、マットレス３６６および土台３６８を示し、マットレス３６６が分解図で示されている。図９３を参照すると、マットレス３６６は、マットレスシェル３７０と、気泡ゴムマットレス支持体３７２と、ジッパ（図示せず）によってマットレスシェル３７０に取り付けられている下部パネル３７４とを含む。複数の摩擦ストリップ３７６がパネル３７４の裏面に位置する。摩擦ストリップ３７６は、マットレスアセンブリ３６６が土台３６８に対して滑るのを防止するのを助ける。土台３６８は、固定プラットフォーム、例えば、ボックススプリングから構成される。
【００６１】
図９４〜図１２１は、図９２および図９３に示すマットレスアセンブリ３６６およびプラットフォーム３６８に組み込まれる、本発明によるマットレス管理システムの様々な実施形態を示す。図１２２は、調整可能プラットフォームを有する既知のベッドを示す。図１２３および図１２４は、図１２２に示すベッドに組み込まれるマットレス管理システムの様々な実施形態を示す。
【００６２】
まず図９４〜図１２１に示す実施形態を参照すると、そのような実施形態のうちの第１の実施形態が図９４に示されている。その実施形態においては、ジッパ着脱可能パネル３７４が、下向きになっている滑らかな表面を有するパネル３７８に置き換えられている。その上、図９６、図９８、図１００、図１０２、図１０４、図１０６、図１０８、図１１０および１１２に示す実施形態におけるジッパ着脱可能パネルが、同様に下向きになっている滑らかな表面を有するパネル３７８に置き換えられている。本発明による例示的な２ピースカバー３８０が、土台３６８に取付または埋め込まれている。例示的なカバー３６８は、カバーを形成する２枚のシーツの中心点が、参照符号３１４によって示すように取り付けられるように構成される。例示的なカバー３８０はまた、複数の空気出口孔３１２をも含む。図９５は、別の例示的な実施形態を示す。この実施形態において、ジッパ着脱可能パネル３７４は、滑らかな底面を有するカバー（図示せず）に置き換えられる。カバー３８２はマットレス３６６の裏面にジッパ留めされる。カバーは空気出口孔３１２を含み、カバー３８２を形成する２枚のシーツの間の接続３１４を含む。カバー３８２は、マットレス３６０が土台３６８に対してスライドまたは回転することを可能にするためにマットレス３６６に取り付けられる弾性カラーを含む。カバーの土台３６８に向いている面は、相対的に滑らかな表面で形成される。土台３６８に対するマットレス３６６の回転を防止するために、カラー３８４はマットレス３６６から分離され、土台に接続される。
【００６３】
図１４０ａ〜図１４０ｂは図９５と同様であるが、示されており、カバーをマットレスに選択的に固定するための、カバーおよびマットレスの両方の上の取付部材を有して示されている。
【００６４】
図９６および図９７は図９４および図９５と同様であるが、膨脹可能空気量を作成するのに使用される縫合パターンについては異なっている。図９４および図９５は概して矩形の空気量を示しており、一方で図９６および図９７は楕円形または円形の縫合パターンを示している。
【００６５】
図９８〜図１０９は図９４〜図９７と同様であるが、異なる縫合パターンを示し、調整可能空気出口弁を含む。図９８および図９９は図９４および図９５と同様であるが、図５４に示すような調整可能空気出口弁を含む。図１００および図１０１は図９６および図９７と同様であるが、調整可能空気弁３４０を含む。図１０２および図１０３は図９４および図９５と同様であるが、図５７に示すような調整可能空気出口弁３４２を含む。図１０４および図１０５は図９６および図９７と同様であるが、調整可能空気弁３４２を含む。図１０６および図１０７は図９４および図９５と同様であるが、図６０〜図６２に示すような調整可能空気出口弁３４４を含む。図１０８および図１０９は図９６および図９７と同様であるが、調整可能空気出口弁３４４を含む。
【００６６】
図１１０および図１１１は図９４および図９５と同様であるが、空気出口孔３１２の上に補助インターフェース材料の小片３５８を含む。図１１２および図１１３は図９６および図９７と同様であるが、空気出口孔３１２の上に補助インターフェース材料の小片３５８を含む。図９５ａおよび図９５ｂは図９４および図９５と同様であるが、それらの実施形態は本明細書において使用されるものとしてのグロメット接続点を示している点が異なっており、グロメットは個々の接続点または連続した縫合とすることができる。グロメットは物理的なグロメットもしくは縫合、または、２枚のシーツをともに接続するための任意の他の従来の技法とすることができる。
【００６７】
図１１４および図１１５は図１１３および図１１２と同様であるが、内蔵ポンプを示している。図１１６は図９７と同様であるが、空気出口孔がない。この実施形態においては、空気は図１１７に示すような、材料の本来備わっている多孔性によって出る。概して参照符号３６５によって識別される矢印は、マットレスシェル３７０（図９３）および気泡ゴムマットレス支持体３７２の材料を通る空気流を示す。図１１８および図１１９は図９８および図９９と同様であるが、空気出口孔を含まない。図１２０および図１２１は図１０２および図１０３と同様であるが、空気出口孔を含まない。
【００６８】
図１２２は、調整可能プラットフォーム上の従来のベッドを示す。概して参照符号３９０によって識別される調整可能プラットフォームベッドは、土台３９４を含む。土台３９４は、基部３９６と、調整可能プラットフォーム３９８とを含む。調整可能プラットフォーム３９８は、基部３９６によって機械的に支持されている。調整可能プラットフォーム３９６の位置を調整するのに、電気モータ（図示せず）が使用される。マットレス３９２は、ジッパ着脱可能パネルを有することが既知である（図示せず）。空気ポンプを使用することなくベッドメイキングを容易にするために、１つまたは複数の滑らかな表面が調整可能プラットフォームベッド３９０に組み込まれてもよい。具体的には、調整可能プラットフォーム３９８は、相対的に滑らかな表面を有する材料によって相対的に被覆されてもよい。ジッパ着脱可能パネルは、代替的にまたは加えて、滑らかな表面を有する異なるパネル（図示せず）に置き換えられてもよい。これらの滑らかな表面の一方または両方が、ベッドメイキングを容易にし、したがって受動ベッドメーカを形成するのに使用することができる。
【００６９】
図１２３および図１２４は、調整可能プラットフォーム３９０に内蔵されているマットレス管理システムを示す。図１１５は、後述するように、膨脹可能空気量４００および吸気ノズル４０２が、後述するように、ベッドメイキングを容易にするために調整可能プラットフォーム３９８に取付または埋め込まれている一実施形態を示す。導管４０４および空気ポンプ４０６が吸気ノズル４０２に取り付けられている。導管４０４および空気ポンプ４０６は、調整可能プラットフォームベッド３９０の一端へと延伸してもよく、または、導管および／または吸気ノズル４０２がプラットフォーム３９８を通じて延伸している状態で調整可能プラットフォーム３９８の下に位置してもよい。
【００７０】
図１２４は図１２３と同様であるが、膨脹可能空気量４００がマットレス３９２の下に示されている。図１２３に最良に示されているように、マットレス３９２の裏面はジッパ着脱可能パネル４０８を含む。図１２４に示す実施形態において、ジッパ着脱可能パネルは、膨脹可能量４００を有するジッパ付きパネル４１０に置き換えられる。図示のように、空気出口孔を有する円形縫合パターンを有する膨脹可能量４００およびともに取り付けられている膨脹可能空気量を形成するシーツの中心。補助インターフェース材料の小片４１２が空気出口孔の上に取り付けられている。しかしながら、図１２３および図１２４は例示的な実施形態であることは理解されたい。膨脹可能量４００に対する様々な置換例の全てがこの応用例に適していることは理解されたい。
【００７１】
図１２５〜図１２８は、後述するように単一カバーを形成するために２枚の材料から形成される、概して参照符号４２０によって識別される膨脹可能空気量の、概して参照符号４２２〜４２８によって識別される様々なバージョンを示す。各カバー４２２〜４２８は、概して参照符号４３０によって識別される複数の側部パネルを含む。膨脹可能量４２０をマットレスまたは土台に対して固定するために、パネル４３０は、マットレスまたは土台に対する相対的に緊密なグリップをもたらす。単一カバーとして形成される膨脹可能量の作製は下記に説明される。
【００７２】
カバー４２２〜４２８は、マットレスの裏面または土台の上に設置されてもよい。カバー４２２〜４２８は、本明細書に説明する置換例の全てによって形成されてもよい。図１２５〜図１２８は、例示的な実施形態を表しているに過ぎない。
【００７３】
図１２５は、矩形縫合パターンを有し空気出口孔を有しないカバー４２２を示す。カバー４２２を構成する２枚のシーツは、参照符号４３０によって示されるような、２枚のシーツの概ね中心においてともに取り付けられる。この実施形態においては、空気は、参照符号４４０および図１１７によって示されるような、材料の多孔性に応じて逃げる。図１２６は図１２５と同様であるが、膨脹可能空気量４２０の円形縫合パターンを示す。図１２７および図１２８は図１２５および図１２６と同様であるが、空気出口孔３１２を含む。
【００７４】
図１２９および図１３０は、本発明によるマットレス管理システムの例示的な応用例を示す。この実施形態において、カバー４２６（図１２７）は、マットレス４４４の裏面に設置される。ベッドスカート４４５が土台４４６の上に配置される。この実施形態において、空気流は下向きである。空気はベッドスカートを通じて流れ、下記に説明するように、マットレス４４４が浮揚されることを可能にするために、土台４４６の上部パネル４４８によって妨害される。上部パネル４４８は、参照符号４４９によって示されるように、任意の従来の手段、例えば、縫合によって土台の上面に取り付けられてもよい。
【００７５】
図１３０は図１２９と同様であるが、図１２８に示すカバー１２８を利用する。カバー４２６と４２８との間の唯一の物理的な差は、縫合パターンである。カバー４２６は矩形縫合パターンを示しており、一方でカバー４２８は膨脹可能量の円形縫合パターンを示している。図１３１および図１３２は図１２９および図１３０と同様であるが、パネル４４８を含まない。
【００７６】
図１３３および図１３４は、図１２９および図１３０と同様である。唯一の差は、膨脹可能量がマットレスに内蔵されていないことである。
【００７７】
後述するように、例示的なマットレス封入材バージョンは、図２４ａおよび図２４ｂに示すように提供される。例示的なマットレス封入材バージョンは、封入材タイプマットレスプロテクタの下部パネルを交換するように縫合されている、中心縫合の周囲の４つの空気出口孔、および、空気ポンプに取り付けられている空気入り口ホースに対応するための空気入り口を有する、周縁および中心縫合を介してともに接合されている、ナイロンリップストップ織物（一方の面をポリウレタンコートされている）から成る２枚の個々のキングサイズシーツから構成される。起動されると、ポンプは、マットレスとマットレス土台との間にシーツを挟むのを容易にする目的でマットレス持ち上げを可能にするために、２層の接合ナイロン織物によってもたらされる、封入材の裏面に位置する拡張可能量に対する連続的な空気源を提供する。このサンプルは、ＢｅｄＭａｋｅｒ（商標）技術のマットレス封入材変形例として、マットレスの上に設置されるように設計されている。
【００７８】
マットレス封入材バージョンの例示的な仕様を下記に記載する。
・織物：    ２×ポリウレタンコートナイロンリップストップのシーツ、各々７５インチ×７９インチ
・マットレス封入材：    １×Ｐｒｏｔｅｃｔ−Ａ−Ｂｅｄ  ＡｌｌｅｒＺｉｐベッドバッグ／防水寝具封入材
・導管：    １×ＰＶＣホース、内径１．５インチ×長さ２．５フィート
・空気ポンプ：    １×コールマン１２０Ｖ電気クイックポンプ（モデル番号５９９９Ｃ１２０）
【００７９】
マットレス封入材バージョンの代替的な２カバー実施形態が企図される。２カバーバージョンは、封入材タイプマットレスプロテクタの下部パネルを交換するように縫合されている、中心縫合の周囲の４つの空気出口孔、および、空気ポンプに取り付けられている空気入り口ホースに対応するための空気入り口を有する、周縁および中心縫合を介してともに接合されている、ナイロンリップストップ織物（一方の面をポリウレタンコートされている）から成る２枚の個々のキングサイズシーツから構成される。起動されると、ポンプは、マットレスとマットレス土台との間にシーツを挟むのを容易にする目的でマットレス持ち上げを可能にするために、２層の接合ナイロン織物によってもたらされる、封入材の裏面に位置する拡張可能量に対する連続的な空気源を提供する。このサンプルは、ＢｅｄＭａｋｅｒ（商標）技術のマットレス封入材変形例として、マットレスの上に設置されるように設計されている。加えて、周縁縫合ポリエステル側部スカート材料を有する第２の単一層ナイロンリップストップカバー（一方の面はポリウレタンコートされており／他方の面はスリックコートされている）は、単一カバーＢｅｄＭａｋｅｒ（商標）ユニットと協働して、このカバーをマットレスの上にめくり上げるか、または、土台の上にめくり下ろすことによるマットレス操作を可能にする。
【００８０】
この実施形態の例示的な仕様を下記に記載する。
・織物：    ２×ポリウレタンコートナイロンリップストップのシーツ、各々７５インチ×７９インチ
・マットレス封入材：    １×Ｐｒｏｔｅｃｔ−Ａ−Ｂｅｄ  ＡｌｌｅｒＺｉｐベッドバッグ／防水寝具封入材
・第２のカバーの織物：    １×ポリウレタン／スリックコートナイロンリップストップのシーツ、各々７５インチ×７９インチ
・側部パネル：    １×ポリウレタンコートポリエステルジャージニット材料、奥行き１０インチ
・導管：    １×ＰＶＣホース、内径１．５インチ×長さ２．５フィート
・空気ポンプ：    １×コールマン１２０Ｖ電気クイックポンプ（モデル番号５９９９Ｃ１２０）
【００８１】
Ｂｅｄ  Ｍａｋｅｒ（商標）
上部マットレスを持ち上げることなくフラットシーツおよび／または毛布を上部マットレスとボックススプリングとの間に挟むことができるように、上部マットレスの持ち上げを最小限に抑えることによって１つまたは複数のフラットシーツを有する全てのサイズのベッドメイキングを容易にするための独立したシステムおよび方法が開示される。本明細書において使用される場合、ボックススプリングは、ボックススプリングまたはプラットフォームであるものとして理解されたい。
【００８２】
より詳細には、本発明は、マットレスとボックススプリングとの間で中心に位置することができる浮揚デバイスに関する。浮揚デバイスは、空気ポンプまたは他の空気源のような空気源によって駆動され、通常モードおよび能動モードを有する。通常モードにおいて、空気源はオフであり、浮揚デバイスは相対的に平坦である。能動モードにおいて、空気源はオンであり、浮揚デバイスは拡張されて、上部マットレスをボックススプリングに対して持ち上げる。浮揚デバイスをマットレスおよびボックススプリングに対して中心に配置することによって、マットレスの一部分が持ち上げられ、したがって、縁部に沿ってマットレスの重量が軽減される。そのため、能動モード中、フラットシーツおよび毛布を、上部マットレスを持ち上げる必要なく実質的に労力なしにマットレスとボックススプリングとの間に挟むことができる。ベッドメイキングされるとき、空気源は単純にオフにされ、マットレスがボックススプリング上に降下することが可能になる。
【００８３】
上述のように、この実施形態は図３０〜図４３に示されている。特に、図３０〜図３７は、浮揚デバイスがマットレスまたはボックススプリングの一方または他方に埋め込まれている実施形態を示す。図３８、図３９、図４２および図４３は、浮揚デバイスが、消費者または商業施設によってマットレスまたはボックススプリングのいずれかの上に容易に設置することができる単一カバーとして形成されているアフターマーケット実施形態を示す。図４０および図４１は、２つのカバーとして形成されている代替的なアフターマーケットデバイスを示す。
【００８４】
本明細書に記載する本発明は、上述のように、１つまたは複数のフラットシーツを用いて適切にベッドメイキングされるときに有用である。本明細書において使用される場合、フラットシーツは、後述するような標準的なマットレスを被覆するための標準的なサイズを有する布の矩形シーツを意味するように定義される。
【００８５】
米国標準マットレスおよび標準フラットシーツは下記に記載する。本発明の原理は、非米国マットレスおよびフラットシーツサイズ、ならびに非標準サイズにも適用可能であり、いわゆる「ディープポケット」マットレスおよびフラットシーツにも適用されることに留意されたい。
【００８６】
【表１】
2018079374.tif 000003
【００８７】
【表２】
2018079374.tif 000004
【００８８】
まず図３０ａ〜図３７を参照すると、ＢｅｄＭａｋｅｒ（商標）デバイスの第１の実施形態が示されている。この実施形態において、浮揚デバイスは、図３０ａおよび図３０ｂに示すように、マットレスの裏面またはボックススプリングの上面のいずれかに埋め込まれてもよい。本明細書における定義として、「埋め込まれる（ｅｍｂｅｄｄｅｄ）」は、例えば、縫合によって永続的に取り付けられるか、または、ジッパもしくはベルクロ締結システムのようなファスナシステムを使用してボックススプリングもしくはマットレスの表面に取り外し可能に取り付けられることを意味するように定義される。その上、図３０〜図４３に示す様々な実施形態は、上向き方向にある浮揚デバイスからの空気流を図示しているが、本発明の原理は、浮揚デバイスからの空気流が概して下向きまたは上向きの方向にある実施形態に適用可能である。
【００８９】
まず図３０ａを参照すると、上部マットレス２０１およびボックススプリング２０３が図示されている。浮揚デバイスは、概して参照符号２００によって識別される。浮揚デバイス２００は、概して参照符号２０２によって識別される、縫合または他の様態でともに締結されている２枚の材料から形成される膨脹可能量を含む。図３０ａに示すように、膨脹可能量は、図３０に示すような円形形状、あるいはそれぞれ図４４および４５に示すような矩形もしくは八角形形状、または図１３５ａ〜図１３８にさらに示すような実質的に任意の形状によって形成されてもよい。
【００９０】
膨脹可能量２０２は、空気入り口ノズル２０４と、概して参照符号２０６によって識別される１つまたは複数の通気孔とを含む。４つの通気孔が図示されている。より多いまたはより少ない通気孔２０６が使用されてもよい。通気孔２０６は、空気供給が空気入り口ノズル２０４に適用されるとき、能動モード中、膨脹可能量２０２を図３３および図３４に示すような拡張状態に維持しながら、膨脹可能量２０２からの過剰な空気を排出するために使用される。
【００９１】
膨脹可能量２０２内に１つまたは複数のエアポケットを生成するために、１つまたは複数のグロメットまたは縫合２０８が使用されてもよい。図３３に最良に示されているように、グロメット２０８は、空気供給が空気入り口ノズル２０４（図３０ａ）に接続されているときにエアポケット部分２１０および２１２を画定するドーナツ形状エアポケットを生成する。これらのエアポケット部分２１０、２１２が、カバー２１８および上部マットレス２０１を持ち上げる。たとえポケット部分２１０および２１２が側面２１４および２１６まで延伸しなくとも、マットレス２０１は側面２１４および２１６に沿って上昇する傾向にある。
【００９２】
一実施形態において、浮揚デバイス２００は、２枚のシーツから形成される膨脹可能量２０２、および、第３のシーツを形成するカバー２１８を含む。カバー２１８は、空気出口孔からの空気流に抵抗を与えるために使用される。十分な抵抗を与えるための材料がマットレスの裏面または土台から見出される他の実施形態においては、カバー２１８は取り除かれてもよい。図３０ａ、図３３および図３４に示すように、例えば、矢印２１９（図３４）、２２０および２２２（図３３）によって示されるようにポケット部分２１０および２１２を充填するために、空気が、空気ポンプ２５０（図３９）によって、矢印２１７（図３３）によって示されるように空気入り口ノズル２０４に与えられる。過剰な空気は、矢印２２４および２２６（図３４）によって示されるようにカバー２１８の下にエアクッションを生成するために、通気孔２０８（図３０ａ）を通じて排出される。カバー２１８の下の空気圧を通じて作用するこのエアクッションは、図３３および図３４に示すように上部マットレス２１４を持ち上げるために、ポケット２１０および２１２の拡張によって生成される上向きの力を支持するのに使用され得る。連続的に空気を供給することによって、カバー２１８は、例えば、空気供給が空気入り口ノズル２０４に接続されているときに、概して矢印２２８（図３０ａ）、２３０（図３２）および２３２（図３４）によって示すように、周縁の周りで過剰な空気を漏出させるためのふるいとして構成される。ふるいは、空気入り口ノズル２０４への所与の量の空気流に対する上部カバー２１８からの漏出および通気孔２０８からの空気流が、図３３に最良に示されているように、エアポケット部分２１０、２１２（図３３）を拡張位置に維持するのに十分であるように構成される。ベッドメイキングされると、空気入り口ノズル２０４（図３０ａ）への空気供給はオフにされる。その後、ポケット内の空気が通気孔２０８およびふるいを通じて排出される。
【００９３】
上述のように、浮揚デバイス２００は、膨脹可能量２０２と、カバー２１８とを含む（図３０ａ）。埋め込み実施形態において、膨脹可能量のいくつかの実施形態がある。一実施形態において、膨脹可能量は、別個のデバイスとして形成され、独立したボックススプリング２０３に追加され得る。この実施形態において、膨脹可能量２０２は、ＰＵコートナイロンリップストップもしくはＰＵ／ＰＶＣコートナイロンタフタまたは同様もしくはより低い通気性の材料のような、空気不透過性材料の２枚のシーツ２３４、２３５から形成される。この実施形態において、これらのシーツは、図３０ａに示すような円形形状、あるいは、それぞれ図４４および４５に示すような矩形もしくは八角形形状のような他の形状、または図１３５ａ〜図１３８にさらに示すような実質的に任意の形状に切断される。代替的に、膨脹可能量２０２の形状は、２枚のシーツを所望の形状にともに縫合によって作成されてもよい。
【００９４】
空気入り口ノズル２０４はまた、シーツ内に一体的に形成される。シーツはその後、上述のように、織物シーツもしくはポリマーベースのシーツのための縫合、接着剤および／またはヒートシーリングのような、シーツに使用される材料に適した締結方法を使用して所望の形状にともに締結される。
【００９５】
独立した膨脹可能量２４４（図３８〜図４１）を有する実施形態において、膨脹可能量は、単純にボックススプリング２０３の上に配置することができ、それによって、空気入り口ノズル２０４がそこから外向きに延伸する。代替的に、膨脹可能量２０２（図３０ａ）は、カバー２１８（図３４）の裏面に固定されてもよく、または、ボックススプリング２０３の上面２３４に固定されてもよい。両方の実施形態において、カバー２１８はボックススプリング２０３に固定される。図３２に最良に示されているように、カバー２１８は、概して参照符号２３６によって識別される複数の風洞によってふるいを生成するように、ボックススプリング２０３に固定される。上述のように、ふるいは、矢印２２８（図３０ａ）によって示すように、カバーの下から過剰な空気を排出するように機能する。
【００９６】
通気孔２０６から放出される空気が、膨脹可能量２０２とカバー２１８の裏面との間に形成されるエアポケット部分２３８および２４０（図３３）に集まることを可能にするために、カバー２１８は単純に膨脹可能量２０２（図３０ａ）の上にある。エアポケット２３８および２４０内の過剰な空気は、風洞２３６を通じて排出される（図３２、図３４）。本明細書において定義されるものとして、過剰な空気とは、上部マットレス２０１（図３３）を持ち上げるのに必要とされる空気圧の量を超える空気圧を意味する。
【００９７】
代替的に、膨脹可能空気量２０２は、上部カバー２１８に組み込まれてもよく、または、ボックススプリング２０３の上面２３４（図３０ａ）に組み込まれてもよい。膨脹可能量２０２を組み込むことは、複数の方法で達成することができる。１つの方法は、膨脹可能量を２枚の材料から独立した物品として形成し、上述したような適切な手段によって膨脹可能量２０２を、カバー２１８またはボックススプリング２０３の上面２３４のいずれかに固定することである。
【００９８】
代替的に、カバー２１８または上面２３４は、膨脹可能量の一部分を形成するのに使用されてもよい。これらの実施形態において、カバー２１８またはボックススプリング２０３の上面２３４は、空気不透過性材料から形成される。この実施形態において、膨脹可能量２０２は、空気不透過性材料片を膨脹可能量２０２の形状に切断し、これを上部カバー２１８またはボックススプリング２０３の上面２３４に固定することによって形成される。
【００９９】
空気不透過性材料に加えて、またはその代わりに、風洞２３６（図３２）を通じた漏出に相当する漏出速度で空気透過性である材料が使用されてもよい。例示的な材料は、ナイロンタフタまたはポリエステルである。そのような実施形態において、風洞２３６は取り除かれ、上部カバー２１８は、ボックススプリング２０３の周縁の周りで完全に取り付けられる。
【０１００】
本発明の代替の実施形態が図３８、図３９、図４２および図４３に示されている。この実施形態において、概して参照符号２４２によって識別される浮揚デバイスは、膨脹可能量２４４と、カバー２４６とを含む。この実施形態は、ベッドが購入された後に設置することができるアフターマーケット物品である。この実施形態において、カバー２４６は、ベッドが購入された後に消費者または商業施設のハウスキーパによって設置されることを可能にするためにボックスシーツとして形成される。浮揚デバイス２４２は上記または下記に説明するように作製されてもよい。図４２および図４３に示すように、カバー２４６は、複数の風洞２４８を有して、または代替的に上述のように形成されてもよい。
【０１０１】
図３０ｂは図３０ａと同様である。図３０ｂにおいては、膨脹可能空気量は、マットレスの裏面に埋め込まれてもよい。図３０ｃおよび図３０ｄは、膨脹可能空気量がカバー内に埋め込まれている実施形態を示す。図１３９ａ〜図１３９ｇは図３０ｂと同様であり、膨脹可能空気量がマットレスの裏側に埋め込まれており、カバーをマットレスに選択的に固定するための、カバーおよびマットレスの両方の上の取付部材を有して示されている。
【０１０２】
図１４５〜図１４８は図１３９ｇと同様であるが、カバーが側部パネルを有さず、垂直取付部材がカバーの端部に取り付けられていることを除いて、側部パネルを有しないカバー、および、マットレスを土台に固定するための異なる取付方法を示す。図１４９〜図１５１は図１３９ｈと同様であるが、カバーが側部パネルを有さず、垂直取付部材がカバーの端部に取り付けられている点が異なる。
【０１０３】
図３８、図３９、図４２および図４３は図３０ａ〜図３７に示す実施形態と同じように動作する。特に、図４３を参照すると、空気供給２５０からの空気が、概して参照符号２５２によって示されている矢印によって示すように、膨脹可能空気量２４４内に受け入れられ、それによって、膨脹可能空気量２４４内のポケット２５４が拡張され、したがって、カバー２１８が持ち上がり、それによって、図示され矢印２５６および２５８によって示されているように上部マットレス２０１が持ち上げられる。上述のように、過剰な空気が通気孔（図示せず）を通じて排出され、膨脹可能量２４４とカバー２４８との間で移動し、矢印２６２（図４２）によって示すように、または代替的に上述のように、カバー２４８内に形成されている風洞２６０を出る。
【０１０４】
本発明の第３の実施形態が図４０および図４１に示されている。この実施形態は、概して参照符号２６６によって識別される浮揚デバイスであり、２つのカバー２６８および２７０を含む。両方のカバー２６８および２７０がボックスシーツとして形成され、両方とも、図４０に示すような空気が吹き下ろす上部マットレス２０１、または、図４１に示すような空気が吹き上げるボックススプリング２０３のいずれかに設置される。カバー２６８および２７０は、図５に関連して下記に説明するように、または上述したように形成されてもよい。この実施形態において、過剰な空気はカバー２６８と２７０との間で自然に逃げ、したがってふるいの必要がなくなる。
【０１０５】
ベッドメイキングするのを容易にするための本発明の実施形態に関連して上述した実施形態の全ては同様に動作し、図３５〜図３７に関連して説明される。まず図３５を参照すると、空気供給２５０（図４３）が空気入り口ノズル２０４（図３０）に取り付けられてオンになり能動モードが規定されると、マットレス２０１の、端部の周りの部分が持ち上がる。
【０１０６】
図３５に示すように、シーツまたは毛布２７２はマットレス２０１の端部からぶら下がって示されている。次に、図３６に示すように。毛布またはシーツ２７２の自由端がマットレス２０１とボックススプリング２０３との間に挟まれる。マットレス２０１の重量は浮揚デバイス２００（図３０）によって支持されており、マットレスの端部はわずかに持ち上げられているため、消費者または商業ハウスキーパは、マットレス２０１（図３６）とボックススプリング２０３との間で矢印２７６の方向に自身の手を容易にかつ実質的に労力なしにスライドさせることが可能である。図３６に示すように、その動作がマットレス２０１の端部２１４をわずかに持ち上げ、毛布またはシーツ２７２がカバー２１８（図３０）の上部とマットレス２０１の底面２７８（図３７）との間に挟まれることを可能にする。矢印２８０によって示すような浮揚デバイス２００（図３０）の持ち上げる力が、矢印２８２（図３７）によって示されるようにユーザの手２７４が退くときにシーツまたは毛布２７２を適所に保持する。
【０１０７】
図３１に示すように、ユーザは反対の側端部２１４および２１６ならびに脚側終端部２１５へと進み、シーツまたは毛布２７４を挟み込む。ユーザが側端部２１４および２１６ならびに脚側終端部２１５へと進むと、毛布またはシーツ２７４のその部分は適所に保持される。挟み込みは、毛布またはシーツ２７４がマットレス２０１とボックススプリング２０３との間に完全に挟まれるまで継続する。概して参照符号２８６によって示すコーナが、側端部２１４〜２１６の前または後のいずれかに挟み込まれてもよい。図３１は、ベッドの脚側端部２１５のコーナが最後に挟み込まれる例示的な応用例を示す。
【０１０８】
図３２に示すように、ベッドメイキングされている間、過剰な空気が、上述したように、概して参照符号２８８によって識別される矢印の方向に排出される。ベッドメイキングされると、空気供給２５０（図３９）はオフにされ、通常モードが規定される。このモードにおいて、マットレス２０１はボックススプリング２０３上に堅固に載置される。空気供給２５０およびその導管２９０は空気供給ノズル２０４（図３０）から分離されてもよい。
【０１０９】
図４０および図４１に示す本発明の重要な態様は、多機能であり、したがってハイブリッドデバイスを形成することである。より具体的には、図４０および図４１に示す実施形態は、上述したようにベッドメイキングするのを容易にするか、または代替的にマットレスを回転させるために使用することができる。本発明のこの態様を利用するために、両方のカバー２６８および２７０がマットレス２０１またはボックススプリング２０３の一方または他方に取り付けられ、上述のように、ベッドメイキングモードが規定される。カバー２７０がマットレス２０１およびボックススプリング２０３の一方または他方に取り付けられ、カバー２６８がマットレス２０１またはボックススプリング２０３の他方に取り付けられるようにカバー２７０を反転させることによって、本発明は、マットレス２０１を回転させるのに使用することができ、後述するように、マットレス回転モードが規定される。
【０１１０】
浮揚デバイス
浮揚デバイス２００は、例えば、図３０ａに示すような、矩形パターンに構成されている膨脹可能量２０２を含む。本発明の原理は、代替的なパターンにも適用可能である。例えば、図４４は、矩形パターンの膨脹可能量３０２を有する浮揚デバイス３００を示す。図４５は、八角形パターンの膨脹可能量３１２を有する浮揚デバイス３１０を示す。図１３５ａ〜図１３８は、縫合パターンに対する代替の実施形態を示す。図４４および図４５は、膨脹可能空気量の空気出口孔の上にカバーを含む実施形態を示す。空気出口孔が、マットレスの裏面の材料、または、空気出口孔と接することになる土台の材料と接している、膨脹可能空気量の２シーツ実施形態。
【０１１１】
浮揚デバイス３００および３１０は、膨脹可能量のパターンを除いて基本的に同じであるため、浮揚デバイス３００のみを説明する。図４４を参照すると、浮揚デバイス３００は、膨脹可能量３０２および破線で示されている空気入り口ノズル３０４によって形成される。膨脹可能量３０２は、破線で示されており概して参照符号３０６によって識別される１つまたは複数の空気出口孔と、上述のような１つまたは複数のグロメット３０８または縫合とを含む。図示されている例示的な実施形態において、膨脹可能量３０２は、カバーによって被覆されており、図３８に示す浮揚デバイスと同様に単一カバーアフターマーケットデバイスとして形成され、ボックススプリング２０３に取り付けられている。
【０１１２】
図４０および図４１に示すハイブリッド実施形態に使用される材料は、後述するものと同じである。図３０〜図３７に示す埋め込み実施形態の材料は、下記に記載するようなものであってもよく、ＰＵコートナイロンリップストップおよび／またはＰＶコートナイロンタフタであってもよい。図３８および図３９に示すハイブリッド実施形態の材料は、上記に記載したようなものであってもよい。
【０１１３】
Ｍａｔｔｒｅｓｓ  ３６０（商標）
図１〜図２９は、ボックススプリングまたはプラットフォームによって担持される、水平面内でマットレスの回転を容易にするためのデバイスに関する。デバイスの第１の実施形態が図５〜図８に示されている。この実施形態において、ボックススプリングに対するマットレスの回転を容易にするために、マットレスとボックススプリングまたはプラットフォームとの間の滑らかな表面が、それらの間の通常の摩擦を低減するために選択的に接触される。滑らかな表面は、２つの別個のカバー、すなわち、ボックススプリングまたはプラットフォームのための第１のカバーおよびマットレスのための第２のカバーによってもたらされる。第１のカバーには、滑らかな表面および滑らかでない表面が設けられる。さらに回転を容易にするために、第２のカバーは、浮揚デバイスの一部分をも含む一方の面に滑らかな表面を含む。第２のカバーの他方の面は、滑らかな表面によって形成されてもよく、または滑らかでない表面によって形成されてもよい。浮揚デバイスは、マットレスを持ち上げ、実質的に労力なしに水平面内でマットレスが回転されることを可能にする空気供給の影響下で、マットレスとボックススプリングとのカバーの間の気柱またはクッションを生成する。マットレスが所望の位置まで回転されると、空気供給が取り除かれ、第１のカバーがマットレスの裏面に取り付けられ、それによって、その滑らかでない表面がボックススプリングもしくはプラットフォームまたはベッドスカートと接し、その滑らかな表面が他方のカバーの滑らかな面および浮揚デバイスと接し、通常動作モードが規定される。
【０１１４】
回転動作モードにおいて、第１のカバーはボックススプリングもしくはプラットフォームまたはベッドスカートに取り付けられ、それによって、その滑らかでない表面がそれと接触する。代替的に、図１６〜図２３に示すように、第１のカバーはボックススプリング内に一体的に組み込まれてもよく、または、滑らかな表面が、プラットフォームベッドの一部分を形成するプラットフォーム上に一体的に形成されてもよい。その実施形態において、ボックススプリングまたはプラットフォームに対するマットレスの運動を妨げるために、マットレスは、図１９〜図２３に示すように、通常動作モードにおいて取り外し可能ファスナによってボックススプリングまたはプラットフォームに対して固定される。
【０１１５】
図５に最良に示されているように、参照符号２２によって識別される第１のカバーは、ボックススプリング３０のサイズに構成されている矩形パネル２６を含む。カバー２２は、パネル２６の周縁に取り付けられている伸縮可能バンド３４を含んでもよい。バンド３４は、概して図６に示すように、カバー２２がボックススプリング３０に取り外し可能に固定されることを可能にする。カバーの面は奥行き９インチになるように作成されてもよく、マットレスまたはボックススプリングの周囲に近密に適合するＰＵコートポリエステル１方向伸縮（水平）材料から作成されてもよい。
【０１１６】
図３および図４に最良に示されており、概して参照符号１２０によって識別される第２のカバーは、マットレス２８（図１６）のサイズに構成されているパネル１２４を含む。カバー１２０は、パネル１２４の周縁に取り付けられている伸縮可能バンド１３２を含む。バンド１３２は、概して図６に示すように、カバー１２０がマットレス２８の裏面に取り外し可能に固定されることを可能にする。
【０１１７】
カバー１２０のパネル１２４およびバンド１３２部分はカバー２２と同様であるが、カバー１２０が加えて一体形成浮揚デバイスを含む点が異なっている。より詳細には、拡張可能空気量または空気袋が、カバー１２０の一部分内に形成される。拡張可能量は、例えば、縫合または他の手段によってパネル１２４の一部分の上に固定されている上層１２１から構成されてもよい。図示のように、上層１２１は、パネル１２４と同じ材料から形成されてもよく、上述のように、円形形状のような実質的に任意の形状に形成されてもよく、概してカバー１２０に対して中心に位置してもよい。上層１２１およびパネル１２４は、外側に向いている滑らかな表面を有して形成される。カバー１２０の他方の面は、滑らかな表面または滑らかでない表面のいずれかによって形成されてもよい。
【０１１８】
膨脹可能量は、吸気ノズル１２３（図３）と、概して参照符号１３１および１３３によって識別される１つまたは複数の空気放出孔とを含む。グロメット１２９（図４）、または、ヒートシーリング、縫合、接着剤などのような、上部カバー１２１の中心点をパネル１２４に取り付けるための他の締結手段が、上層１２１に対して中心に位置してもよく、上部カバー１２１上の一点をパネル１２４に固定し、矢印１３５ａおよび１３７によって示すような、ノズル１２３から放出孔１３１および１３３への空気流を生成するために参照符号１４３によって識別される風洞を含む拡張可能量を生成するためにしようされてもよい。
【０１１９】
図４に示すように、空気が吸気ノズル１２３（図３）に加えられると、拡張可能量は図示のように膨脹して、グロメット１２９に隣接して気柱が形成されることになる。気柱は、マットレス２８に埋め込まれているか否かにかかわらず、気柱に接するカバーのような表面を持ち上げまたは浮揚し、これによって、マットレス２８の一部分を持ち上げ、マットレス２８の周縁に沿った重量のいくらかを軽減する。カバー２２の滑らかな表面は上部カバー１２１の滑らかな表面およびパネル１２４の滑らかな表面と接しているが、マットレス２８（図５）は、概して図２に示すように実質的に労力なしに回転される。マットレス２８が所望の位置まで回転されると、カバー２２はマットレス２８に取り付けられ、それによって、その滑らかでない表面がボックススプリング３０と接触させられる。
【０１２０】
バンド１３２および３４（図３および図５）は、弾性材料、例えば、スパンデックス、および、メッシュまたは弾性バンドのような伸縮可能材料から形成されてもよく、例えば、縫合によってそれぞれパネル１２４および２６に取り付けられてもよい。代替的に、バンド３２、３４（図５）は、メッシュまたは伸縮可能織物から形成されてもよい。バンド１３２および３４（図５）はまた、パネル１２４（図３）、２４、２６と同じ材料、または、マットレス、マットレス封入材、もしくはボックススプリングの側面と同じ材料から形成されてもよく、後述するような垂直取付方法によってマットレス２８およびボックススプリングまたはプラットフォーム３０に固定されてもよい。水平取付手段も、マットレス、ボックススプリング、または土台に対するカバーのグリップを緊密にするために使用されてもよい。上述のような、アフターマーケット封入材およびジッパ着脱可能下部パネルを有するマットレスカバーを含む、単一カバーおよびカバーなし実施形態はまた、引き紐（図示せず）または他の取付方法の、２カバー実施形態に関連して説明した取付方法をも含んでもよい。
【０１２１】
バンド１３２および３４はまた、図２８ａ〜図２８ｂおよび図２９ａ〜図２９ｃに示すような、労働集約度のより低い方法によって形成されてもよい。これらの図面に示す方法は、縫合の量、したがって関連する労力を低減する。単純にするために、１つのカバー２２しか記載および図示していない。しかしながら、これらの教示はまた、カバー１２０のバンド１３２およびパネル１２４にも適用される。まず図２８ａおよび図２８ｂを参照すると、単純にするために、概して参照符号２１によって識別されるカバー白地の１つのコーナが示されている。カバー白地２１は、矩形材料片の各端部に隣接する、概して参照符号２３によって識別される折り線を有する概して矩形の材料片として形成される。図２８ａに示すように、材料片は例えば、鈍角を規定する各コーナを切り欠きされる。切り欠きは、概して参照符号２５によって識別される。バンド３４’が、図２８ｂに示すように折られる。参照符号２７によって識別される、弾性素材のような可撓性材料片が、切り欠き２５を架橋するのに使用される。可撓性材料２７は、連続したバンド３４’の端部に固定される。当業者によって了解されるように、図２８ａおよび図２８ｂに示す実施形態は、人件費を大幅に低減する。
【０１２２】
人件費を低減するための第２の技法を図２９ａ〜図２９ｃに示す。この実施形態において、材料白地２１’のコーナは切断されて、鈍角ではない切り欠き２５’が形成される。例示的な切り欠き２５’は概ね９０度角で図示されている。この実施形態において、ファスナストリップ２９が、切り欠き２５’に隣接するバンド３４’’の各端部に固定される。協働取り外し可能ファスナストリップ３１が、隣接するバンド３４’’をともに固定するためにファスナストリップ２９に取り付けられてもよい。ファスナストリップ２９および３１は、ベルクロまたは他のタイプのファスナであってもよい。図２９ａ〜図２９Ｃに示す実施形態は、カバー２０が図２９ｃに示すように適所に置かれると、材料白地２１’が、取り外し可能ファスナストリップ３１によってマットレス２８またはボックススプリング３０の上に並置され、例えば、図２９ｂに示すように最小として部分的に取り外され、露出した協働ファスナストリップ２９に固定されることを可能にする。
【０１２３】
図２９ｅ〜図２９ｊは、カバー、例えば、本明細書に記載する１カバーマットレス管理システムのマットレスまたは土台に対するグリップを緊密にするための様々な技法を示す。図２９ｄおよび図２９ｅに示すように、概して参照符号５０４によって識別されるスナップ、ベルクロまたはボタンのような従来のファスナが、マットレス５００および／または土台５０２に堅固に固定される。係合するファスナ５０６がカバー５０３上に設けられてもよい。図２９ｄに示すように、カバー５０３は土台５０２に取り付けられている。カバー５０３がマットレス５００に取り付けられているとき、係合するファスナ５００および５０６は、図２９ｅに示すようにカバー５０３をマットレスに対して固定するためにともに接合される。カバー５０３を土台５０２に固定するために追加の係合するファスナをカバー５０３および土台上に配置することも企図される。
【０１２４】
図２９ｆおよび図２９ｇは、図２９ｄおよび図２９ｅと同様である。この実施形態において、カバー５０３には図２９ｄおよび図２９ｅに示すような側部全体のパネル５０５を設けられず、代わりに、概して参照符号５０７によって識別されるコーナフラップが設けられる。図２９ｍおよび図２９ｍは図２９ｄおよび図２９ｅと同様であるが、マットレスが図２４ａ、図２４ｂに示すような封入材内に封入されているところを示す。図２９ｏおよび図２９ｐは図２９ｆおよび図２９ｇと同様であるが、マットレスがジッパ付き封入材内に封入されているところを示す。
【０１２５】
図２９ｈおよび図２９ｉは、カバー５０３の間の緊密なグリップをもたらすための異なる例示的な技法を示す。これらの実施形態において、側部パネルの少なくとも２つ５０９、５１０は、図示のようにともに取り付けられていない。図２９ｈにおいて、１つの側部パネル５０９の端部がループ５１２を含む。隣接する側部パネル５０９は、ループ５１２を受け入れるための、概して参照符号５１４によって識別される複数のボタンを含む。カバー５０３のグリップは、ループを掴むために選択される特定のボタンに応じて調整される。図２９ｉは同様であるが、マットレスまたは土台に対するカバー５０３のグリップを緊密にするために引き紐５１４を利用する。図２９ｋおよび図２９ｌは、カバー５０３をマットレスまたは土台に対して固定するための代替的な方法を表す。
【０１２６】
図２９ｊは、全ての側部パネルが接続されてボックスシーツが形成されているカバー５０３を示す。この実施形態において、各側部パネルは、概して参照符号５１６によって示されているストラップおよびベルクロを含んでもよい。この実施形態において、ストラップは、マットレス５１８または土台（図示せず）に対するカバー５０３のグリップを緊密にするために、締結位置においてベルクロに締結および取り付けることができる。
【０１２７】
本発明の重要な態様によれば、カバー２２（図５）は、相対的に摩擦係数が低い「滑らかな」面、および、相対的に摩擦係数が高い滑らかでない面を有してもよい。浮揚デバイスの一部分を含む他方のカバー１２０は、少なくとも１つの滑らかな面を有し、２つの滑らかな面を有してもよい。そのため、２つのカバー１２０および２２の滑らかな表面が選択的に互いに接して配置されると、マットレス２８は、下記により詳細に説明されるように、回転動作モードを規定する構成において、１人の人員によって最小限の労力で水平面内で回転することができる。カバー２２の滑らかでない面は、選択的にボックススプリング３０の被覆されていない表面と接して配置されるために使用される。滑らかでない面によって、通常構成においてマットレスの意図されていない回転を、防止とは言わないまでも低減するために、ボックススプリング３０、プラットフォームまたはベッドスカート３６の被覆されていない表面をもたらす。
【０１２８】
布、および、曲げられ折りやすい他の材料のような、様々な材料が、パネル１２４、２６、カバー１０、２２に適している。１つのカバー１２０、２２の材料は、滑らかな面および滑らかでない面を有しさえすればよい。滑らかでない面は、滑らかでない材料の一面に滑らかでない裏当てを被覆もしくは縫合または取り付けることによって、滑らかな材料の一面に作成することができる。様々な従来利用可能な材料が、滑らかな面および滑らかでない面を有するカバーに適している。例えば、「３０デニールヒートシール可能（裏面）１００％ナイロンリップストップ」材料、または、滑らかな面および滑らかでない面において同様の摩擦係数を有する他の材料が、本発明によって使用するのに適している。そのような材料は、ナイロン、例えば、一面に、例えば、ウレタンまたは他の熱可塑性もしくはヒートシール可能コーティングをコーティングされている１００％ナイロンであってもよい。そのようなナイロンリップストップ材料は、幅が５８〜８６インチ幅になり、重量が約１．１〜４．４オンス毎平方ヤードになることが既知である。そのような材料は、必要に応じて様々なマットレス幅に対応するために容易につなぎ合わせることができる。
【０１２９】
本発明によって使用するのに適したナイロンリップストップ材料は、フロリダ州サラソータ所在のＱｕｅｓｔ  Ｏｕｔｆｉｔｔｅｒｓ（ｈｔｔｐ：／ｑｕｅｓｔｏｕｔｆｉｔｔｅｒｓ．ｃｏｍ）のような様々なソースから入手可能である。Ｑｕｅｓｔ  Ｏｕｔｆｉｔｔｅｒｓのタフタ材料は、参照により本明細書に組み込まれる、ｈｔｔｐ：／ｑｕｅｓｔｏｕｔｆｉｔｔｅｒｓ．ｃｏｍ／ｃｏａｔｅｄ．ｈｔｍｌ＃ＨＥＡＴ  ＳＥＡＬＡＢＬＥに詳細に記載されている。適切なナイロンタフタ材料は、コロラド州ラブランド所在のＲｏｃｋｙｗｏｏｄｓ（ｈｔｔｐ：／ｗｗｗ．ｒｏｃｋｙｗｏｏｄｓ．ｃｏｍ）からも利用可能である。Ｒｏｃｋｙｗｏｏｄｓのタフタ材料は、参照により本明細書に組み込まれる、ｈｔｔｐ：／ｗｗｗ．ｒｏｃｋｙｗｏｏｄｓ．ｃｏｍ／Ｆａｂｒｉｃｓ−Ｈａｒｄｗａｒｅ−Ｐａｔｔｅｒｎｓ−Ｋｉｔｓ／Ｍｅｄｉｕｍ−Ｗｅｉｇｈｔ−Ｎｙｌｏｎ−Ｆａｂｒｉｃｓ／Ｈｅａｔ−Ｓｅａｌａｂｌｅ−７０−Ｄｅｎｉｅｒ−Ｎｙｌｏｎ−Ｔａｆｆｅｔａに詳細に記載されている。
【０１３０】
不織材料もまた、滑らかな面および滑らかでない面を有するカバー１２０、２２に使用されてもよい。例えば、ＤｕＰｏｎｔ  Ｃｏｒｐｏｒａｔｉｏｎによって製造され、ｈｔｔｐ：／ｗｗｗ２．ｄｕｐｏｎｔ．ｃｏｍ／Ｐｒｏｄｕｃｔｓ＿ａｎｄ＿Ｓｅｒｖｉｃｅｓ／ｅｎ＿ＶＮ／ｎｗｎ．ｈｔｍｌに詳細に記載されているようなＴｙｖｅｋ（登録商標）ポリエチレン不織布が使用されてもよい。例えば、Ｓｅａｔｔｌｅ  Ｆａｂｒｉｃｓ，Ｉｎｃ．、ｈｔｔｐ：／ｗｗｗ．ｓｅａｔｔｌｅｆａｂｒｉｃｓ．ｃｏｍ／ｎｙｌｏｎｓ．ｈｔｍｌから入手可能であるようなシリコーン含浸ナイロンリップストップのような、２つの滑らかな面を有する他の材料も使用することができる。一面にコーティングが施されている他の材料も使用することができる。その上に、応用例における各カバーに異なる材料を使用することができる。
【０１３１】
下記により詳細に説明されるように、本発明のいくつかの実施形態は、拡張可能空気量を含み、空気出口孔または調整可能空気出口弁を含まない。これらの実施形態は、拡張可能空気量からの空気の制御された放出を可能にするために、材料の多孔性に依拠する。
【０１３２】
本明細書に説明する様々な実施形態は、滑らかな面および滑らかでない面を有する１つまたは２つのカバーを必要とする。以下の材料がこの目的に適しており、下記に記載される。例えば、以下の例示的な材料が使用されてもよい。
・ポリウレタンラミネートコーティングまたはシリコーンコーティングが施されているワープニット織物
・ポリウレタンラミネートコーティングまたはシリコーンコーティングが施されている不織材料
・ポリウレタン裏当てまたはシリコーンコーティングが施されているトリコット織物
・ポリウレタンラミネートコーティングまたはシリコーンコーティングが施されているステッチボンド織物
・一面にシリコーンコーティングを施され、他方の面にポリウレタンコーティングを施されているナイロンまたはポリエステルリップストップ
・Ｔｉｅｔｅｘから入手可能なステッチボンド織物、商品番号９４４１６４、型式番号Ｃ２４３、この織物は３２％レーヨン、２２％ポリエステル、６％トワロンおよび４０％コートである。
【０１３３】
同様の摩擦係数および多孔性特性を有する材料も使用されてもよい。全てのそのような材料が本開示の広い範囲内にあると考えられる。
【０１３４】
以下の布地材料も、上述の様々な表面に使用されてもよい。これらの布地材料は、他方の非コーティングまたはコーティング面の摩擦係数に対して滑らかな表面または滑らかでない表面を生成するために摩擦係数を制御するために、下記に示すように一方または両方の面をコーティングされずにまたはコーティングされて使用することができる。
７０デニール×７０デニールナイロンリップストップ
７０デニール×７０デニールポリエステルリップストップ
７０デニールナイロンおよびポリエステル混紡
７０デニールナイロンタフタ
７０デニールポリエステルタフタ
３０デニールポリエステルまたはナイロンリップストップまたはタフタ
２１０デニールオックスフォードナイロン
２１０デニールオックスフォードポリエステル
２１０デニールナイロンおよびポリエステル混紡
ワープニット織物
ポリ塩化ビニル（ＰＶＣ）
ポリエチレンシート
ポリプロポレンシート
不織物
オレフィン（別名ポリエチレンおよびポリプロピレン）
ステッチボンド織物
綿混紡
テリー織材料
トリコット
高密度かつ高分子量のポリエチレンフィルム
【０１３５】
以下のコーティングは、相対的に高い摩擦係数を有する。これらのコーティングが粗いまたは滑らかでない表面に使用されてもよい。
ポリウレタンコート／ラミネート／接着／含浸／裏当て
ポリ塩化ビニル（ＰＶＣ）コート／ラミネート／接着／含浸／裏当て
熱可塑性プラスチックコート／ラミネート／接着／含浸／裏当て
ゴムコート／ラミネート／接着／含浸／裏当て
ヒートシール可能コート／ラミネート／接着／含浸／裏当て
ウォーターリペレントコート／ラミネート／接着／含浸／裏当て
アクリルコート／ラミネート／接着／含浸／裏当て
接着剤コート／ラミネート／接着／含浸／裏当て
上記のいずれかの混紡コーティング非コート（非コート織物本来の摩擦係数）
以下のコーティングが材料の一面にコーティングされてもよく、相対的に低い摩擦係数をもたらし、したがって、滑らかな表面をもたらすのに使用されてもよい。
シリコーンコート／ラミネート／接着／含浸／裏当て
テフロン（登録商標）コート／ラミネート／接着／含浸／裏当て
石油系コート／ラミネート／接着／含浸／裏当て
上記のいずれかの混紡コーティング織物に織り込まれた滑らかな繊維
非コート（非コート織物本来の摩擦係数）
【０１３６】
まず図５〜図８を参照すると、第１のカバー２２はボックススプリング３０に取り付けられており、それによって、その滑らかでない面はボックススプリング３０と接しており、その滑らかな面は上に向いている。浮揚デバイスの一部分を含む第２のカバー１２０は、マットレス２８の裏面に取り付けられている。回転動作モードにおいて、カバー２２はボックススプリング３０に取り付けられ、それによって、その滑らかでない面はボックススプリング３０と接し、その滑らかな面は上に向き、それによって、その滑らかな面はカバー１２０の滑らかな表面１２１および１２４と接する。通常動作モードにおいて、カバー２２はマットレス２８に取り付けられ、それによって、その滑らかでない面はボックススプリング２８に接し、その滑らかな面はカバー１２０の滑らかな表面１２１および１２４に接し、それによって、ボックススプリング３０またはベッドスカート３６またはプラットフォームに対するマットレス２８の意図されていない運動が低減される。
【０１３７】
小さい空気供給１２７が、概して図３に示すような導管１２５によって吸気ノズル１２３に接続される。マットレス２８を持ち上げるのに必要とされる力は、圧力にマットレス２８の面積を乗算した値に比例するため、上部カバー１２１の面積は、空気ポンプ１６０によって必要とされる圧力の量によってマットレス２８の総重量に分割され得る。図示のように、上部カバー１２１の直径は、例えば、図３に示すように、マットレス２８の幅をわずかに下回るように選択されてもよい。
【０１３８】
本発明の代替の実施形態が図１４および図１５に示されている。この実施形態において、吸気ノズル１２３（図３）と空気ポンプ１２７との間の導管１２５’は、マットレス２８に部分的に組み込まれてもよい。図１６は、導管１２５’’が拡張可能量の内部と流体連通しており、コネクタ１３１によってカバー１２０の外部の空気供給ポンプ１２７（図３）に接続されているという点で、マットレス２８が埋め込み導管１２５’’を含む、また別の代替の実施形態を示す。
【０１３９】
図９ａ〜図１３は、ベッドスカート３６が、概して図９ａに示すようにボックススプリング３０の上に掛けられている、カバー１２０および２２の一応用例を示す。従来、ボックススプリング３０の上に掛けられているベッドスカート３６を有するマットレス２８の回転は相対的に煩わしい作業であった。本発明は、そのような応用例においてマットレス２８の回転を大幅に単純化する。より具体的には、この応用例において、カバー１２０はマットレス２８の裏面に取り付けられ、それによって、その滑らかでない面または滑らかでない面、すなわち、上部カバー１２１を含まない面が、マットレス２８と接し、その滑らかな面、すなわち、上部カバー１２１を含む面が下に向く。他方のカバー２２はベッドスカート３６の上でボックススプリング３０に取り付けられ、それによって、その滑らかでない面がベッドスカート３６と接し、その滑らかな面が上に向き、それによって、図９に示すように、カバー１２０および２２の滑らかな面が互いと接して配置される。その後、マットレス２８は、概して図２に示すように、実質的に労力なしに回転することができる。
【０１４０】
マットレス２８が所望の位置まで回転された後、カバー２２がマットレス３０の裏面から分離され、図１０ａに示すように、カバー１２０の上でマットレス２８に取り付けられる。これによって、カバー２２の滑らかでない面がベッドスカート３６と接して配置され、マットレス２８の意図されていない回転が、防止されるとは言わないまでも、低減される。図１０に示すように、マットレス２８の回転中、カバー２２がベッドスカート３６を適所に保持するため、ベッドスカート３６は被覆されず、乱されない。
【０１４１】
図１１〜図１３は図９ａおよび図１０ａと同様であり、通常構成においてベッドスカート３６がカバー１２０および２２を隠すのに使用される別の応用例を示す。図１１を参照すると、ベッドスカート３６はマットレス２８の周りに配置されており、それによって、その仕上げ面はマットレス２８と接しており、その非仕上げ面は外側に向いている。カバー１２０はベッドスカート３６の上でマットレス２８に取り付けられており、それによって、その滑らかでない面はベッドスカート３６と接しており、その滑らかな面は下に向いている。他方のカバー２２はボックススプリング３０に取り付けられており、それによって、その滑らかでない面がボックススプリング３０と接しており、その滑らかな面が上に向いており、それによって、カバー１２０および２２の滑らかな面が互いと接して配置されている。その後、マットレス３０は、１人の人員によって実質的に労力なしに水平面内で回転することができる。マットレス２８が所望の位置にくると、カバー１２０はマットレス２８から分離され、他方のカバー２２の上でボックススプリング３０に取り付けられる。これによって、カバー１２０の滑らかでない面が、マットレス２８と接しているベッドスカートの裏面と接して配置され、それによって、マットレス２８の意図されていない回転が低減される。カバー１２０がボックススプリング３０に取り付けられると、ベッドスカート３６はボックススプリング３０の上に折り下げられ、それによって、図２および図１３に示すように第１のカバー１２０および第２のカバー２２の両方が隠れる。図９ｂおよび図１０ｂは図１０ａおよび図１０ｂと同様であるが、マットレスが図２４ａおよび図２４ｂに示すような封入材内に封入されている１カバー実施形態を示す。
【０１４２】
図２４ａ、図２４ｂおよび図２５ａ、図２５ｂは、マットレス封入材バージョンに関し、カバー１２０が、マットレス２８を封止する、防水カバーのような保護カバー４０に置き換えられている実施形態を示す。カバー４０は、図２４ａに示され上述したように、浮揚デバイスの一部分を有して形成される。保護カバー４０は、相対的にぴったりとした適合をもたらすために、マットレス２８のサイズおよび形状に合わせられる。マットレス２８が保護カバー４０の内部に配置されることを可能にし、それによって浮揚デバイスが下に向くように、保護カバー４０の一端に沿って開口４２が設けられる。ジッパ４４のような従来のファスナが、開口４２を閉じるのに使用されてもよい。この実施形態において、カバー４０の一方の表面４６ａに、浮揚デバイスの上部カバー１２１’またはボックススプリング２２（図２４ａ）の上面のように、滑らかな表面４６ａが設けられる。
【０１４３】
図２４ａを参照すると、マットレス２８およびカバー４０は、滑らかな表面４６ａがボックススプリング３０に面するように構成される。カバー２２は、滑らかな表面および滑らかでない表面を有して形成される。カバー２２はボックススプリング３０に取り付けられており、それによって、その滑らかでない面はボックススプリング３０と接しており、その滑らかな面は上に向いている。カバー４０の滑らかな面４６ａはカバー２２の滑らかな面と協働して、回転モードにおける被覆されたマットレス２８の回転を容易にする。カバー２２は、上述したように、滑らかな表面および滑らかでない表面を有する。より詳細には、回転動作モードにおいて、カバー２２はボックススプリング３０に取り付けられ、それによって、その滑らかでない表面はボックススプリング３０と接し、その滑らかな表面は、保護カバー４０の滑らかな表面に接するために上に向く。このモードにおいて、空気ポンプ１２７（図３）がオンにされて、拡張可能気柱に浮揚効果をもたらす空気を充填し、供給し続けると、マットレス２８は水平面内で労力なしに回転することができる。封入材の代替的な実施形態が図２４ｂおよび図２５ｂに示されている。
【０１４４】
２つのカバーを必要とする上述の実施形態に加えて、カバー１２０および２２の一方または両方がそれぞれマットレスまたはボックススプリング３０内に一体的に形成される代替の実施形態が下記に説明される。例えば、図１６〜図２３に示すように、カバー１２０および２２の一方または両方は取り除かれ、マットレス２８またはボックススプリング３０内に一体的に形成されてもよい。例えば、カバー１２０が、マットレス２８の裏面に一体的に形成されると仮定する。この実施形態において、カバー２２はボックススプリング３０に取り付けられており、それによって、回転動作モードにおいて、その滑らかでない表面はボックススプリング３０と接しており、その滑らかな表面は上に向いている。マットレスが所望の位置まで回転されると、カバー２２がマットレス２８に取り付けられ、それによって、通常動作モードにおいて、その滑らかでない表面がボックススプリング３０と接し、その滑らかな表面がカバー１２０’の滑らかな表面１２１’および１２４’と接する。
【０１４５】
代替的に、図１６〜図１８に示すように、両方のカバー１２０’および２２’がそれぞれマットレス２８およびボックススプリング３０内に一体的に形成されてもよく、それらのそれぞれの滑らかな表面が常に接する。この実施形態において、カバー１２０’の滑らかな表面１２１’および１２４’ならびにカバー２２’の滑らかな表面はマットレス２８の裏面に取り付けられ、それによって、滑らかな表面が下に向き、マットレス２８の裏面と接する。回転動作モードにおいて、カバー１２０’の滑らかな表面は、ボックススプリング３０内に一体的に形成されている滑らかな表面と接する。
【０１４６】
通常動作モードにおいてマットレス２８がボックススプリング３０に対して動くのを防止するために、ファスナ、例えば、ベルクロファスナが、マットレス２８およびボックススプリング３０の両方のコーナに設けられてもよい。特に、持続性ファスナストリップ５４が、図１６、図１７および図１９に示すようにマットレス２８のコーナに設けられる。同様に、持続性ファスナストリップ５６が、ボックススプリング３０のコーナに設けられる。図１７および図１９に示すように、マットレス２８がボックススプリング３０と正確に位置合わせされると、マットレス２８上の持続性ファスナストリップ５４、５６はボックススプリング３０上の持続性ファスナストリップ５６と位置合わせされる。ボックススプリング３０に対してマットレス２８を固定するために、取り外し可能協働ファスナストリップ５８が、図１８および図２０に示すような持続性ファスナストリップ５４および５６に選択的に取り付けられ、通常動作モードが規定される。取り外し可能ファスナストリップ５８は、マットレス２８を回転させるために単純に取り外され、マットレス２８が回転されると再配置される。
【０１４７】
本発明の代替の実施形態が図１４３および図１４４ａに示されている。この実施形態において、マットレスは、例えば、図１４４ｂに示すような垂直取付デバイスによって土台に固定される。
【０１４８】
２つの代替の実施形態が図２１〜図２３に示されている。図２１および図２２に示す実施形態において、持続性ファスナストリップ６０および６２が、マットレス２８およびボックススプリング３０が一緒になる端部に隣接して、マットレス２８およびボックススプリング３０の周縁の周りに位置する。図２２に示すように、協働取り外し可能ファスナストリップ６４が、それぞれマットレス２８およびボックススプリング３０上の持続性ファスナストリップ６０および６２に取り付けられる。図２３に示すようなまた別の代替の実施形態において、協働取り外し可能ファスナストリップ６４は、ベッドスカート６６の内部に固定されてもよい。そのような構成によって、マットレス２８およびボックススプリング３０がともに固定されるだけでなく、この構成によって、ベッドスカート６６が容易に設置されることも可能になる。
【０１４９】
図２６および図２７は、概して参照符号７０によって識別される、プラットフォームベッド上の本発明の応用例を示す。この実施形態において、カバー１２０’は、マットレス２８の裏面に組み込まれており、吸気ノズル１２３がマットレス２８の一端までで終端されている。この実施形態において、マットレス２８は、カバー１２０’の滑らかな表面１２１’および１２４’と協働する滑らかな表面７４を有して形成されているプラットフォーム７２上に直に載置されている。回転動作モードにおいて、空気供給（図示せず）からの空気が、マットレス２８を浮揚させる吸気ノズル１２３に加えられる。ヘッドボード７６がプラットフォーム７４から取り外されてもよく、または代替的に、マットレス２８がその所望の位置まで回転される前に、マットレスがヘッドボードから外方に滑り出されてもよい。その後、空気供給が取り除かれ、マットレスはプラットフォーム７２上の載置位置に戻り、ヘッドボード７６は通常モードに再配置される。マットレス２８はその後、従来のファスナシステム、または、後述する取付方法のいずれか、または、任意の他の従来の取付方法によってプラットフォーム７４に固定される。
【０１５０】
取付手段
様々な垂直および水平取付が本明細書に開示される。例えば、図２８ａ〜図２９ｃ、および図２９ｈ〜図２９ｌに示すように、水平取付が側部パネルをともに固定するのに使用される。図２４ｊに示すような他の取付手段もまた使用されてもよい。そのような水平取付はまた、カバーの側部パネル、または任意選択的に封入材の、マットレスまたは土台に対するグリップを緊密にするために使用されてもよい。水平取付手段も、マットレス、ボックススプリング、または土台に対するカバーのグリップを緊密にするために使用されてもよい。上述のような、アフターマーケット封入材およびジッパ着脱可能下部パネルを有するマットレスカバーを含む、単一カバーおよびカバーなし実施形態はまた、２カバー実施形態に関連して説明した取付方法をも含んでもよい。
【０１５１】
カバーをマットレス（図１４３〜図１４４ａおよび１４８）に、カバーをジッパ着脱可能下部パネル（図１３９ｈ〜図１３９ｊ、図１４０ａ、図１４０ｂ、および図１４９〜図１５１）に、および、アフターマーケット封入材（図１３９ｊ、図１４１ａ〜図１４１ｃ、および図１４５〜図１４７）を固定するのに垂直取付が使用される。カバーをマットレスに（図２４ｍ、図２４ｎ）、および、アフターマーケット封入材によって被覆されているマットレス（図２４ｏおよび図２４ｐ）を取り付けるための様々な他の垂直取付が示されている。
【０１５２】
加えて、反転パネル、ストラップ、または他の部材（図示せず）が、マットレス、マットレスカバー、封入材、または土台のいずれかに取り付けられ得る。ファスナシステムは、ジッパ、ボタン、バックル、またはカバーもしくは土台に対する他のファスナのような係合するファスナと協働して、マットレスを土台に固定し、または、カバーをマットレス、マットレスカバー、もしくは封入材、もしくは土台に固定する反転パネル、ストラップ、または他の部材に埋め込むことができる。
【０１５３】
本明細書に記載および例示した全てのファスナシステムは、本発明の全ての実施形態のための垂直および水平取付の両方に適しており、互いにまたは任意の他の従来の取付方法と交換可能に、またはそれと組み合わせて使用することができる。
【０１５４】
上記の教示に照らして明らかに、本発明の多くの改変および変更が可能である。例えば、カバー１２０のみを有する本発明を利用することができる。この実施形態において、本発明は、浮揚デバイスと協働するのにボックススプリング３０の表面に依拠する。また、カバー２２には、２つの滑らかな面または滑らかな面および滑らかでない面が設けられ得る。したがって、添付の特許請求項の範囲内で、本発明は上記に具体的に記載されている以外の様態で実践されてもよいことは理解されたい。
【０１５５】
特許請求され、米国特許明細書によって保護されるよう所望されるものは、添付の特許請求の範囲の通りである。
【図１】
2018079374.tif 000005
【図２】
2018079374.tif 000006
【図３】
2018079374.tif 000007
【図４】
2018079374.tif 000008
【図５】
2018079374.tif 000009
【図６】
2018079374.tif 000010
【図７】
2018079374.tif 000011
【図８】
2018079374.tif 000012
【図９ａ】
2018079374.tif 000013
【図９ｂ】
2018079374.tif 000014
【図１０ａ】
2018079374.tif 000015
【図１０ｂ】
2018079374.tif 000016
【図１１】
2018079374.tif 000017
【図１２】
2018079374.tif 000018
【図１３】
2018079374.tif 000019
【図１４】
2018079374.tif 000020
【図１５】
2018079374.tif 000021
【図１６】
2018079374.tif 000022
【図１７】
2018079374.tif 000023
【図１８】
2018079374.tif 000024
【図１９】
2018079374.tif 000025
【図２０】
2018079374.tif 000026
【図２１】
2018079374.tif 000027
【図２２】
2018079374.tif 000028
【図２３】
2018079374.tif 000029
【図２４ａ】
2018079374.tif 000030
【図２４ｂ】
2018079374.tif 000031
【図２５ａ】
2018079374.tif 000032
【図２５ｂ】
2018079374.tif 000033
【図２６】
2018079374.tif 000034
【図２７】
2018079374.tif 000035
【図２８ａ】
2018079374.tif 000036
【図２８ｂ】
2018079374.tif 000037
【図２９ａ】
2018079374.tif 000038
【図２９ｂ】
2018079374.tif 000039
【図２９ｃ】
2018079374.tif 000040
【図２９ｄ】
2018079374.tif 000041
【図２９ｅ】
2018079374.tif 000042
【図２９ｆ】
2018079374.tif 000043
【図２９ｇ】
2018079374.tif 000044
【図２９ｈ】
2018079374.tif 000045
【図２９ｉ】
2018079374.tif 000046
【図２９ｊ】
2018079374.tif 000047
【図２９ｋ】
2018079374.tif 000048
【図２９ｌ】
2018079374.tif 000049
【図２９ｍ】
2018079374.tif 000050
【図２９ｎ】
2018079374.tif 000051
【図２９ｏ】
2018079374.tif 000052
【図２９ｐ】
2018079374.tif 000053
【図３０ａ】
2018079374.tif 000054
【図３０ｂ】
2018079374.tif 000055
【図３０ｃ】
2018079374.tif 000056
【図３０ｄ】
2018079374.tif 000057
【図３１】
2018079374.tif 000058
【図３２】
2018079374.tif 000059
【図３３】
2018079374.tif 000060
【図３４】
2018079374.tif 000061
【図３５】
2018079374.tif 000062
【図３６】
2018079374.tif 000063
【図３７】
2018079374.tif 000064
【図３８】
2018079374.tif 000065
【図３９】
2018079374.tif 000066
【図４０】
2018079374.tif 000067
【図４１】
2018079374.tif 000068
【図４２】
2018079374.tif 000069
【図４３】
2018079374.tif 000070
【図４４】
2018079374.tif 000071
【図４５】
2018079374.tif 000072
【図４６ａ】
2018079374.tif 000073
【図４６ｂ】
2018079374.tif 000074
【図４７ａ】
2018079374.tif 000075
【図４７ｂ】
2018079374.tif 000076
【図４７ｃ】
2018079374.tif 000077
【図４８】
2018079374.tif 000078
【図４９】
2018079374.tif 000079
【図５０】
2018079374.tif 000080
【図５１】
2018079374.tif 000081
【図５２】
2018079374.tif 000082
【図５３】
2018079374.tif 000083
【図５４】
2018079374.tif 000084
【図５５】
2018079374.tif 000085
【図５６】
2018079374.tif 000086
【図５７】
2018079374.tif 000087
【図５８】
2018079374.tif 000088
【図５９】
2018079374.tif 000089
【図６０】
2018079374.tif 000090
【図６１】
2018079374.tif 000091
【図６２】
2018079374.tif 000092
【図６３】
2018079374.tif 000093
【図６４】
2018079374.tif 000094
【図６５】
2018079374.tif 000095
【図６６】
2018079374.tif 000096
【図６７】
2018079374.tif 000097
【図６８】
2018079374.tif 000098
【図６９】
2018079374.tif 000099
【図７０】
2018079374.tif 000100
【図７１】
2018079374.tif 000101
【図７２】
2018079374.tif 000102
【図７３】
2018079374.tif 000103
【図７４】
2018079374.tif 000104
【図７５】
2018079374.tif 000105
【図７６】
2018079374.tif 000106
【図７７】
2018079374.tif 000107
【図７８】
2018079374.tif 000108
【図７９】
2018079374.tif 000109
【図８０】
2018079374.tif 000110
【図８１】
2018079374.tif 000111
【図８２ａ】
2018079374.tif 000112
【図８２ｂ】
2018079374.tif 000113
【図８２ｃ】
2018079374.tif 000114
【図８３ａ】
2018079374.tif 000115
【図８３ｂ】
2018079374.tif 000116
【図８３ｃ】
2018079374.tif 000117
【図８３ｄ】
2018079374.tif 000118
【図８４】
2018079374.tif 000119
【図８５】
2018079374.tif 000120
【図８６】
2018079374.tif 000121
【図８７】
2018079374.tif 000122
【図８８】
2018079374.tif 000123
【図８９】
2018079374.tif 000124
【図９０】
2018079374.tif 000125
【図９１】
2018079374.tif 000126
【図９２】
2018079374.tif 000127
【図９３】
2018079374.tif 000128
【図９４】
2018079374.tif 000129
【図９５】
2018079374.tif 000130
【図９５ａ】
2018079374.tif 000131
【図９５ｂ】
2018079374.tif 000132
【図９６】
2018079374.tif 000133
【図９７】
2018079374.tif 000134
【図９８】
2018079374.tif 000135
【図９９】
2018079374.tif 000136
【図１００】
2018079374.tif 000137
【図１０１】
2018079374.tif 000138
【図１０２】
2018079374.tif 000139
【図１０３】
2018079374.tif 000140
【図１０４】
2018079374.tif 000141
【図１０５】
2018079374.tif 000142
【図１０６】
2018079374.tif 000143
【図１０７】
2018079374.tif 000144
【図１０８】
2018079374.tif 000145
【図１０９】
2018079374.tif 000146
【図１１０】
2018079374.tif 000147
【図１１１】
2018079374.tif 000148
【図１１２】
2018079374.tif 000149
【図１１３】
2018079374.tif 000150
【図１１４】
2018079374.tif 000151
【図１１５】
2018079374.tif 000152
【図１１６】
2018079374.tif 000153
【図１１７】
2018079374.tif 000154
【図１１８】
2018079374.tif 000155
【図１１９】
2018079374.tif 000156
【図１２０】
2018079374.tif 000157
【図１２１】
2018079374.tif 000158
【図１２２】
2018079374.tif 000159
【図１２３】
2018079374.tif 000160
【図１２４】
2018079374.tif 000161
【図１２５】
2018079374.tif 000162
【図１２６】
2018079374.tif 000163
【図１２６ｂ】
2018079374.tif 000164
【図１２７】
2018079374.tif 000165
【図１２８】
2018079374.tif 000166
【図１２９】
2018079374.tif 000167
【図１３０】
2018079374.tif 000168
【図１３１】
2018079374.tif 000169
【図１３２】
2018079374.tif 000170
【図１３３】
2018079374.tif 000171
【図１３４】
2018079374.tif 000172
【図１３５ａ】
2018079374.tif 000173
【図１３５ｂ】
2018079374.tif 000174
【図１３５ｃ】
2018079374.tif 000175
【図１３６ａ】
2018079374.tif 000176
【図１３６ｂ】
2018079374.tif 000177
【図１３６ｃ】
2018079374.tif 000178
【図１３７】
2018079374.tif 000179
【図１３８】
2018079374.tif 000180
【図１３９ａ】
2018079374.tif 000181
【図１３９ｂ】
2018079374.tif 000182
【図１３９ｃ】
2018079374.tif 000183
【図１３９ｄ】
2018079374.tif 000184
【図１３９ｅ】
2018079374.tif 000185
【図１３９ｆ】
2018079374.tif 000186
【図１３９ｇ】
2018079374.tif 000187
【図１３９ｈ】
2018079374.tif 000188
【図１３９ｉ】
2018079374.tif 000189
【図１３９ｊ】
2018079374.tif 000190
【図１３９ｋ】
2018079374.tif 000191
【図１４０ａ】
2018079374.tif 000192
【図１４０ｂ】
2018079374.tif 000193
【図１４１ａ】
2018079374.tif 000194
【図１４１ｂ】
2018079374.tif 000195
【図１４１ｃ】
2018079374.tif 000196
【図１４２ａ】
2018079374.tif 000197
【図１４２ｂ】
2018079374.tif 000198
【図１４３】
2018079374.tif 000199
【図１４４ａ】
2018079374.tif 000200
【図１４４ｂ】
2018079374.tif 000201
【図１４５】
2018079374.tif 000202
【図１４６】
2018079374.tif 000203
【図１４７】
2018079374.tif 000204
【図１４８】
2018079374.tif 000205
【図１４９】
2018079374.tif 000206
【図１５０】
2018079374.tif 000207
【図１５１】
2018079374.tif 000208
【図１５２】
2018079374.tif 000209
【図１５３】
2018079374.tif 000210
【図１５４】
2018079374.tif 000211
【図１５５】
2018079374.tif 000212
【図１５６】
2018079374.tif 000213
【図１５７】
2018079374.tif 000214
【手続補正書】
【提出日】平成30年2月6日(2018.2.6)
【手続補正１】
【補正対象書類名】明細書
【補正対象項目名】００１３
【補正方法】変更
【補正の内容】
【００１３】
【図１】マットレスを水平面内で回転させる試行において、ボックススプリングによって担持されている従来のマットレスを２人の人間が持ち上げているところを示す等角投影図である。
【図２】部分的に回転されているマットレスとともに示されている、本発明を組み込んだ、ボックススプリングによって担持されている従来のマットレスを１人の人間が回転させている等角投影図である。
【図３】部分的にカバーの一側面に一体化されて示されている、本発明に使用するための浮揚デバイスの等角投影図である。
【図４】図３に示す浮揚デバイスの一部分の立面図である。
【図５】浮揚デバイスの一部分が１つのカバーに一体化されて示されている、従来のボックススプリングおよび従来のマットレスならびに本発明による２つのカバーを示す、本発明の一実施形態の分解等角投影図である。
【図６】マットレス上に設置されている、図５に示すカバーのうちの一方、および、ボックススプリング上に設置されている一方のカバーを示す、図５と同様の図である。
【図７】マットレス上に設置されている一方のカバーと、ボックススプリング上に設置されている一方のカバーとを示し、２つのカバーの滑らかな表面が互いと接している回転構成において示されている、部分的に断面の、図５に示されている実施形態の部分側立面図である。
【図８】下部カバーが、ベッドスカートを適所に固定するボックススプリング上のベッドスカートの上に配置されることになっている、図５〜図７に示す本発明の応用例の分解等角投影図である。
【図９ａ】両方の滑らかな表面が互いと接している回転構成を示す一方のカバーがマットレス上に設置され、他方のカバーがボックススプリング上に設置されて示されており、ベッドスカートの上に設置されている下部カバーを示している、図８に示されている実施形態の部分側立面図である。
【図９ｂ】図９ａと同様であるが、一方のカバーおよびマットレスが図２４ａ、図２４ｂに示すような封入材によって封入されて示されている図である。
【図１０ａ】図９ａと同様であるが、両方のカバーがマットレス上に設置されて示されており、下部カバーの滑らかでない表面がベッドスカートの表面と接している通常構成を示している図である。
【図１０ｂ】図１０ａと同様であるが、一方のカバーおよびマットレスが図２４ｂおよび図２５ｂに示すような単一カバーを用いた封入材によって封入されて示されている図である。
【図１１】回転構成において示されている、ベッドスカートが通常構成において両方のカバーを隠すのに使用されている、図８〜図１０ａに示す実施形態の代替的な応用例の図である。
【図１２】ベッドスカートがボックススプリングの上に引き下ろされて両方のカバーを隠している通常構成にある、図１１に示す応用例の部分立面図である。
【図１３】通常構成において示されている、図１２に示すボックススプリングの部分立面図である。
【図１４】マットレスに内蔵されている内部空気ポンプを含むシステムの代替的な実施形態を示し、浮揚デバイスの一部分を形成する拡張可能空気ボリューム（拡張可能空気量）に空気を供給するための空気導管をも示す、滑らかな表面がマットレスに内蔵されて示されている図である。
【図１５】図１４と同様であるが、例示的な空気ポンプを有する一実施形態を示す図である。
【図１６】浮揚デバイスの一部分とともに、滑らかな表面がマットレスおよびボックススプリングの両方に組み込まれている本発明の代替の実施形態であり、マットレスがボックススプリングから取り外され、ファスナストリップがマットレスおよびボックススプリングのコーナに組み込まれて示されている図である。
【図１７】図１６と同様であるが、互いと整列された、組み込みファスナストリップを示す、マットレスがボックススプリング上に配置されて示されている図である。
【図１８】マットレスをボックススプリングに固定するために組み込みファスナストリップに取り付けられている協働取り外し可能ファスナストリップを示す、図１７と同様の図である。
【図１９】ボックススプリングおよびマットレスの各々の上に整列されている組み込みファスナストリップを示すボックススプリング上に配置されているマットレスの一コーナを示す部分立面図である。
【図２０】図１９と同様であるが、取り外し可能ファスナストリップが、マットレスおよびボックススプリング上の組み込みファスナストリップに取り付けられて示されている図である。
【図２１】組み込みファスナがボックススプリングおよびマットレスの周縁に配置されている、ボックススプリング上に配置されているマットレスを示し、マットレスが、破線で示されている導管に接続されているマットレスの側辺に並置されている入り口ノズルを有して示されている、マットレスをボックススプリングに固定するための代替的なファスナ構成の等角投影図である。
【図２２】図２１と同様であるが、協働取り外し可能ファスナストリップが、マットレスおよびボックススプリング上の組み込みファスナストリップに取り付けられて示されている図である。
【図２３】図２２と同様であるが、マットレスおよびボックススプリング上の組み込みファスナストリップに取り付けられている取り外し可能ファスナストリップを組み込んでいるベッドスカートを示す図である。
【図２４ａ】マットレスカバーが少なくとも１つの滑らかな表面を有する保護カバーまたは封入材であり、保護カバーがマットレスから取り外され、マットレスがボックススプリングに対して浮遊して示されており、空気ポンプおよび導管が封入材に取り付けられて示されている、本発明の代替の実施形態を示す図である。
【図２４ｂ】図９ｂと同様であるが、図２４ａに示されており、ただし縫合パターンなしで封入材に内蔵されている膨脹可能容積が示されている封入材の代替的な実施形態を示す図である。
【図２５ａ】図９ｂと同様であるが、保護カバーがマットレス上に設置されて示されている図である。
【図２５ｂ】図２５ａと同様であるが、図２４ｂに示す封入材の代替的な実施形態を示す図である。
【図２６】図２５と同様であるが、プラットフォームベッドを形成するプラットフォーム上に設置されている本発明によるカバーを示し、空気入り口ノズルがマットレスの側辺上に並置されて示されている図である。
【図２７】図２６と同様であるが、本発明によるカバーを有するマットレスがプラットフォームから持ち上げられているところを示す図である。
【図２８ａ】本発明によってカバーとして使用するための材料白地の部分等角投影図であり、隣接する端部上の折り目および一コーナにおける鈍角の切り欠きを示す図である。
【図２８ｂ】図２８ａと同様であるが、折り目によって画定されるストリップを接合し、切り欠きをつなぐ弾性材料を示す図である。
【図２９ａ】図２８ａと同様であるが、鈍角以外の切り欠きを示す図である。
【図２９ｂ】折り目によって画定されるストリップ上の組み込みファスナストリップが、当該組み込みファスナストリップに部分的に取り付けられている協働取り外し可能ファスナストリップとともに示されている、図２９ａに示す材料白地を示す図である。
【図２９ｃ】図２９ｂと同様であるが、取り外し可能ファスナストリップが、組み込みファスナストリップに完全に取り付けられて示されている図である。
【図２９ｄ】カバーを適所に保持するために従来のファスナがマットレスおよび土台に取り付けられている、４つの側部パネルを有するカバーを含むマットレス管理システムの応用例を示す図である。
【図２９ｅ】カバーを適所に保持するために従来のファスナがマットレスおよび土台に取り付けられている、４つの側部パネルを有するカバーを含むマットレス管理システムの応用例を示す図である。
【図２９ｆ】図２９ｄと同様であるが、カバーを適所に保持するために使用する４つのコーナ部品のみを含む図である。
【図２９ｇ】図２９ｅと同様であるが、カバーを適所に保持するために使用する４つのコーナ部品のみを含む図である。
【図２９ｈ】土台またはマットレスに対してカバーを固定するための代替の構成を示し、側辺の接続が調整可能であるカバーを示す図である。
【図２９ｉ】土台またはマットレスに対してカバーを固定するための代替の構成を示し、側辺の接続が調整可能であるカバーを示す図である。
【図２９ｊ】側部パネルをマットレスまたは土台に固定するための別の代替の実施形態を示す図である。
【図２９ｋ】側部パネルをマットレスまたは土台に固定するための別の代替の実施形態を示す図である。
【図２９ｌ】側部パネルをマットレスまたは土台に固定するための別の代替の実施形態を示す図である。
【図２９ｍ】図２４ａまたは図２４ｂに示すような封入材に封入されているマットレスを示す、図２９ｄに示す本発明の代替の実施形態を示す図である。
【図２９ｎ】図２４ａまたは図２４ｂに示すような封入材に封入されているマットレスを示す、図２９ｄに示す本発明の代替の実施形態を示す図である。
【図２９ｏ】図２９ｆと同様であるが、マットレスがジッパ付き封入材内に被覆されている点が異なる図である。
【図２９ｐ】図２９ｇと同様であるが、マットレスがジッパ付き封入材内に被覆されている点が異なる図である。
【図３０ａ】浮揚デバイスがボックススプリングまたはカバー内に埋め込まれている、ベッドメイキングを容易にする本発明の一実施形態の分解等角投影図である。
【図３０ｂ】図３０ａと同様であるが、浮揚デバイスがマットレス内に埋め込まれて示されている図である。
【図３０ｃ】膨脹可能空気量を形成するカバーを含む図３０ａと同様の実施形態を示し、カバーが土台に取り付けられて示されている図である。
【図３０ｄ】膨脹可能空気量を形成するカバーを含む図３０ａと同様の実施形態を示し、カバーが土台に取り付けられて示されている図である。
【図３１】マットレスと、図３０ａに示す本発明の原理を組み込んでいるボックススプリングとの間にシートまたは毛布を挟んでいるユーザを示す図である。
【図３２】浮揚デバイスがボックススプリング内に埋め込まれている、図３０ａに示す本発明の一実施形態を示し、マットレスが取り外されて示されている図である。
【図３３】図３１と同様であり、マットレスおよびボックススプリングの一端の間にシーツまたは毛布を挟んでいるユーザを示し、浮揚デバイスがボックススプリング内に埋め込まれている一実施形態とともに示されている図である。
【図３４】ボックススプリング上に設置されている能動位置において示されている、図３０ａに示す本発明の部分側立面図である。
【図３５】本発明による浮揚デバイスの一実施形態を用いてマットレスとボックススプリングとの間にシーツまたは毛布を挟んでいる図である。
【図３６】本発明による浮揚デバイスの一実施形態を用いてマットレスとボックススプリングとの間にシーツまたは毛布を挟んでいる図である。
【図３７】本発明による浮揚デバイスの一実施形態を用いてマットレスとボックススプリングとの間にシーツまたは毛布を挟んでいる図である。
【図３８】浮揚デバイスがマットレスまたはボックスのいずれかの上に設置可能であるアフターマーケットデバイスとして構成され、浮揚デバイスが単一カバーから形成される、図３０ａに示す浮揚デバイスの代替の実施形態の分解等角投影図である。
【図３９】ボックススプリング上に設置されている、図３８に示すアフターマーケット浮揚デバイスを示す図である。
【図４０】浮揚デバイスがマットレスまたはボックスのいずれかの上に設置可能であるアフターマーケットデバイスとして構成され、浮揚デバイスが２つのカバーから形成される、図３０ｂに示す浮揚デバイスの別の代替の実施形態の分解等角投影図である。
【図４１】ボックススプリング上に設置され、上部カバーの一部分が取り除かれて示されている、図４０に示すアフターマーケット浮揚デバイスの等角投影図である。
【図４２】ボックススプリング上に設置され、能動動作モードにおいて示されている、図３８に示す単一カバー実施形態の部分等角投影図である。
【図４３】マットレスが上にあるボックススプリング上に設置され、浮揚デバイスが能動動作モードにおいて示されている、図３８に示す単一カバー浮揚デバイスの部分等角投影図である。
【図４４】浮揚デバイスの代替の例示的なパターンが破線で示されている、ボックススプリング上に設置されている浮揚デバイスの等角投影図である。
【図４５】浮揚デバイスの別の代替の例示的なパターンが破線で示されている、ボックススプリング上に設置されている浮揚デバイスの等角投影図である。
【図４６ａ】概して矩形の縫合パターンを有する、２シーツ単一カバー能動実施形態の等角投影図である。
【図４６ｂ】図４６ａと同様であるが、膨脹可能空気量を供給する複数の空気入り口点を示す図である。
【図４７ａ】図４６ａと同様であるが、円形縫合パターンが２枚のシーツを接合している図である。
【図４７ｂ】図４７ａと同様であるが、膨脹可能空気量を供給する複数の空気入り口点を示す図である。
【図４７ｃ】図４６ｂおよび図４７ｂに示す複数の空気入り口に使用するための例示的な逆止め弁の図である。
【図４８】矩形縫合パターンが土台に内蔵されている本発明の単一カバー実施形態を示す、土台、ベッドスカートおよび上部マットレスを有するベッドの等角投影図である。
【図４９】図４８と同様であるが、円形縫合パターンを示す図である。
【図５０】図４８と同様であるが、ベッドスカートを含まない図である。
【図５１】図４９と同様であるが、ベッドスカートを含まない図である。
【図５２】空気出口孔がなく、調整可能空気出口弁の第１の実施形態がある、矩形縫合パターンが２枚のシーツを接合している２シーツ単一カバー実施形態を示す図である。
【図５３】図５２と同様であるが、円形縫合パターンを示す図である。
【図５４】図５２および図５３に示す調整可能空気出口弁の等角投影図である。
【図５５】図５２と同様であるが、調整可能空気出口弁の第２の実施形態としてのジッパを示す図である。
【図５６】図５３と同様であるが、調整可能空気出口弁の第２の実施形態としてのジッパを示す図である。
【図５７】図５５および図５６に示すジッパの等角投影図である。
【図５８】図５２と同様であるが、空気ポンプの排出部にある調整可能空気出口弁の第３の実施形態を示す図である。
【図５９】図５３と同様であるが、調整可能空気出口弁の第３の実施形態を示す図である。
【図６０】図５８および図５９に示す調整可能空気出口弁の第３の実施形態の等角投影図である。
【図６１】完全に閉じた位置にある、図５８〜図６０に示す調整可能空気出口弁の等角投影図である。
【図６２】部分的に閉じた位置にある弁を示し、調整マークをさらに示す、図６１と同様の図である。
【図６３】第２のカバーが空気出口孔の上に配置されている、複数の中心に位置する空気出口孔を有する拡張可能量を形成する２枚のシーツの間の矩形縫合パターンを有する単一カバーを示す、本発明の代替の実施形態の図である。
【図６４】図６３と同様であるが、円形縫合パターンを示す図である。
【図６５】図５２と同様であるが、中心に位置する空気出口孔を示す図である。
【図６６】図５３と同様であるが、中心に位置する空気出口孔を示す図である。
【図６７】図５５と同様であるが、中心に位置する空気出口孔を示す図である。
【図６８】図５６と同様であるが、中心に位置する空気出口孔を示す図である。
【図６９】図５８と同様であるが、中心に位置する空気出口孔を示す図である。
【図７０】図５９と同様であるが、中心に位置する空気出口孔を示す図である。
【図７１】図６３と同様であるが、調整可能空気出口弁の第１の実施形態を含む図である。
【図７２】図６４と同様であるが、調整可能空気出口弁の第１の実施形態を含む図である。
【図７３】図６３と同様であるが、調整可能空気出口弁の第２の実施形態を含む図である。
【図７４】図６４と同様であるが、調整可能空気出口弁の第２の実施形態を含む図である。
【図７５】図６３と同様であるが、調整可能空気出口弁の第３の実施形態を含む図である。
【図７６】図６４と同様であるが、調整可能空気出口弁の第３の実施形態を含む図である。
【図７７】マットレスの裏側に設置されて示されている、本発明の単一カバーバージョンの等角投影図である。
【図７８】図７７に示す設置実施形態の分解斜視図である。
【図７９】ベッドメイキングを容易にするために使用されている本発明を示す側立断面図である。
【図８０】土台とマットレスとの間の中に挟まれる前の、ぶら下がっているベッドシーツを示す、本発明を示す部分側立断面図である。
【図８１】挟み込まれているシーツを示す部分側立断面図である。
【図８２ａ】土台上に設置されているベッドスカートを示す、マットレスの裏側に設置されている単一カバーマットレス管理システムの等角投影図である。
【図８２ｂ】図８２ａと同様であるが、ベッドスカートがなく、マットレスが図２４ａおよび図２４ｂに示すような封入材によって封入されて示されている図である。
【図８２ｃ】図８２ａと同様であるが、ベッドスカートがなく、マットレスが図２４ａおよび図２４ｂに示すような封入材によって封入されて示されている図である。
【図８３ａ】マットレスが回転されている間、ベッドスカートの上にめくり下ろされている、図８２ａに示すカバーを示す等角投影図である。
【図８３ｂ】図８３ａと同様であるが、マットレスが図２４ａおよび図２４ｂに示すような封入材内に封入されているところを示す図である。
【図８３ｃ】図８３ｂと同様であるが、ベッドスカートがない図である。
【図８３ｄ】図８３ｂと同様であるが、ベッドスカートがなく、封入材のジッパを隠しているカバーを示す図である。
【図８４】ユーザが土台からマットレスを取り外しはじめているところを示す、ベッドスカートの交換に関係する本発明の別の態様を示す図である。
【図８５】図８４と同様であるが、マットレスが部分的に取り外されているところを示す図である。
【図８６】図８５と同様であるが、カバー上の空気出口孔が露出される位置までマットレスが取り外されているところを示す図である。
【図８７】図８６と同様であるが、マットレスが完全に取り外されたところを示す図である。
【図８８】図８６と同様であるが、マットレスが空気の補助なしに取り外される受動モードを示す図である。
【図８９】図８８と同様であるが、マットレスが受動モードにおいて完全に取り外されて示されている図である。
【図９０】土台に取り付けられている本発明による単一カバーを示す、マットレスが土台の上に部分的に再設置されているところを示す図である。
【図９１】図９０と同様であるが、マットレスが土台の上に完全に設置されているところを示す図である。
【図９２】マットレスが取り外されて示されている、従来技術のベッドの等角投影図である。
【図９３】図９２と同様であるが、マットレスを分解図で示している図である。
【図９４】図９２と同様であるが、矩形縫合パターンが土台に埋め込まれており、表面が滑らかな板がマットレスの裏側にはめ込まれている、本発明のカバーの一実施形態を示す図である。
【図９５】図９４と同様であるが、本発明によるカバーがマットレスの裏側に埋め込まれて示されている図である。
【図９５ａ】図９４と同様であるが、単一カバーの２枚のシーツを接合する複数のグロメットまたは接続点を示す図である。
【図９５ｂ】図９５と同様であるが、単一カバーの２枚のシーツを接合する複数のグロメットまたは接続点を示す図である。
【図９６】図９４と同様であるが、円形または楕円形縫合パターンを示す図である。
【図９７】図９５と同様であるが、円形または楕円形縫合パターンを示す図である。
【図９８】図９４と同様であるが、調整可能空気出口弁の第１の実施形態をも示す図である。
【図９９】図９５と同様であるが、調整可能空気出口弁の第１の実施形態をも示す図である。
【図１００】図９６と同様であるが、調整可能空気出口弁の第１の実施形態をも示す図である。
【図１０１】図９６と同様であるが、調整可能空気出口弁の第１の実施形態をも示す図である。
【図１０２】図９４と同様であるが、調整可能空気出口弁の第２の実施形態をも示す図である。
【図１０３】図９５と同様であるが、調整可能空気出口弁の第２の実施形態をも示す図である。
【図１０４】図９６と同様であるが、調整可能空気出口弁の第２の実施形態をも示す図である。
【図１０５】図９７と同様であるが、調整可能空気出口弁の第２の実施形態をも示す図である。
【図１０６】図９６と同様であるが、調整可能空気出口弁の第３の実施形態をも示す図である。
【図１０７】図９７と同様であるが、調整可能空気出口弁の第３の実施形態をも示す図である。
【図１０８】図９６と同様であるが、調整可能空気出口弁の第３の実施形態をも示す図である。
【図１０９】図９７と同様であるが、調整可能空気出口弁の第３の実施形態をも示す図である。
【図１１０】第２のカバーがプラットフォーム内に埋め込まれている空気出口孔の上に配置されている、複数の中心に位置する空気出口孔を有する拡張可能量を形成する２枚のシーツの間の矩形縫合パターンを有する単一カバーを示す、本発明の代替の実施形態の図である。
【図１１１】図１１０と同様であるが、単一カバーがマットレスの裏側に埋め込まれて示されている図である。
【図１１２】図１１０と同様であるが、円形または楕円形縫合パターンを示す図である。
【図１１３】図１１１と同様であるが、円形または楕円形縫合パターンを示す図である。
【図１１４】図１１３と同様であるが、内蔵ポンプを示す図である。
【図１１５】図１１２と同様であるが、内蔵ポンプを示す図である。
【図１１６】図１１３と同様であるが、空気出口を有さず示されており、空気を放出するのにマットレスに使用される材料の多孔性に依拠する図である。
【図１１７】マットレスカバーに使用される材料の多孔性に基づく、矢印が示すような流出する空気を示す、マットレス内の材料の一区画の分解断面図である。
【図１１８】図９８と同様であるが、空気出口孔が設けられていない点が異なる図である。
【図１１９】図９９と同様であるが、空気出口孔が設けられていない点が異なる図である。
【図１２０】図１０２と同様であるが、空気出口孔が設けられていない点が異なる図である。
【図１２１】図１０３と同様であるが、空気出口孔が設けられていない点が異なる図である。
【図１２２】マットレスが調整された位置で示されている、調整可能プラットフォームを有する従来のベッドの等角投影図である。
【図１２３】図１１４と同様であるが、調整可能プラットフォームによって担持されている本発明による単一カバーを示す図である。
【図１２４】図１１５と同様であるが、本発明による単一カバーがマットレスの裏側に埋め込まれて示されている図である。
【図１２５】空気を放出するのにカバーの多孔性に依拠する、矩形縫合パターンを有する本発明による一体成形カバーを示す図である。
【図１２６】円形縫合パターンが示されていることを除いては同様の図である。
【図１２６ｂ】例示的な多孔性を材料を通じた空気逃しを示す図である。
【図１２７】図１２５と同様であるが、実施形態が空気を放出するための空気出口孔を含む点が異なる図である。
【図１２８】図１２６と同様であるが、実施形態が空気を放出するための空気出口孔を含む点が異なる図である。
【図１２９】土台の上にベッドスカートを含む応用例においてマットレスの裏側に矩形縫合パターンが取り付けられている一体成形カバーを示す、本発明によるマットレス管理システムの一実施形態の分解等角投影図である。
【図１３０】図１２９と同様であるが、円形縫合パターンを示す図である。
【図１３１】図１２９と同様であるが、一体成形カバーが上部マットレスから取り外されているところを示し、空気を取り入れるための大体の位置を示す図である。
【図１３２】図１３１と同様であるが、空気が膨らむように土台に取り付けられている一体成形カバーを示す図である。
【図１３３】図１２９と同様であるが、内蔵式であり、ベッドスカートがない図である。
【図１３４】図１３０と同様であるが、内蔵式であり、ベッドスカートがない図である。
【図１３５ａ】楕円形縫合パターンを有する、本発明による一体成形カバーの等角投影図である。
【図１３５ｂ】楕円形縫合パターンを有する、本発明による一体成形カバーの等角投影図である。
【図１３５ｃ】楕円形縫合パターンを有する、本発明による一体成形カバーの等角投影図である。
【図１３６ａ】図１３５ａと同様であるが、矩形ドーナツ型縫合パターンを有し、空気出口孔がなく、調整可能空気出口弁の一実施形態を有する図である。
【図１３６ｂ】図１３５ｂと同様であるが、矩形ドーナツ型縫合パターンを有し、空気出口孔がなく、調整可能空気出口弁の一実施形態を有する図である。
【図１３６ｃ】図１３５ｃと同様であるが、矩形ドーナツ型縫合パターンを有し、空気出口孔がなく、調整可能空気出口弁の一実施形態を有する図である。
【図１３７】図１３５ａと同様であるが、大文字Ｉ型縫合パターンを示す図である。
【図１３８】図１３５ａと同様であるが、大文字Ｘ型縫合パターンを有し、空気出口孔を示し、調整可能空気出口弁がない図である。
【図１３９ａ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｂ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｃ】図９５と同様の図である。
【図１３９ｄ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｅ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｆ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｇ】膨脹可能空気量がマットレスの裏側に埋め込まれており、カバーをマットレスに選択的に固定するための、カバーおよびマットレスの両方の上の取付部材を有して示されている、図７８と同様の図である。
【図１３９ｈ】図９５と同様の図である。
【図１３９ｉ】図９５と同様の図である。
【図１３９ｊ】図９５と同様の図である。
【図１３９ｋ】図９５と同様の図である。
【図１４０ａ】図９５と同様であるが、示されており、カバーをマットレスに選択的に固定するための、カバーおよびマットレスの両方の上の取付部材を有して示されている図である。
【図１４０ｂ】図９５と同様であるが、示されており、カバーをマットレスに選択的に固定するための、カバーおよびマットレスの両方の上の取付部材を有して示されている図である。
【図１４１ａ】図１４０ａおよび図１４０ｂと同様であるが、マットレスが、図２４ａと同様の封入材内に封入されている一実施形態を示す図である。
【図１４１ｂ】図１４０ａおよび図１４０ｂと同様であるが、マットレスが、図２４ａと同様の封入材内に封入されている一実施形態を示す図である。
【図１４１ｃ】図１４０ａおよび図１４０ｂと同様であるが、マットレスが、図２４ａと同様の封入材内に封入されている一実施形態を示す図である。
【図１４２ａ】図１４１ａ〜図１４１ｃと同様であるが、土台をマットレスに固定するための異なる方法を示す図である。
【図１４２ｂ】図１４１ａ〜図１４１ｃと同様であるが、土台をマットレスに固定するための異なる方法を示す図である。
【図１４３】図１６〜図１８と同様であるが、例えば、図１４４ｂに示す取付部材を用いてマットレスを土台に固定する代替的な方法を示す図である。
【図１４４ａ】図１６〜図１８と同様であるが、例えば、図１４４ｂに示す取付部材を用いてマットレスを土台に固定する代替的な方法を示す図である。
【図１４４ｂ】雄型取付部材と、協働する雌型取付部材とを備える従来の取付デバイスを示す図である。
【図１４５】図１３９ｇと同様であるが、カバーが側部パネルを有さず、垂直取付部材がカバーの端部に取り付けられている点が異なる図である。
【図１４６】図１３９ｇと同様であるが、カバーが側部パネルを有さず、垂直取付部材がカバーの端部に取り付けられている点が異なる図である。
【図１４７】図１３９ｇと同様であるが、カバーが側部パネルを有さず、垂直取付部材がカバーの端部に取り付けられている点が異なる図である。
【図１４８】図１３９ｇと同様であるが、カバーが側部パネルを有さず、垂直取付部材がカバーの端部に取り付けられている点が異なる図である。
【図１４９】図１３９ｈと同様であるが、カバーが側部パネルを有さず、垂直取付部材がカバーの端部に取り付けられている点が異なる図である。
【図１５０】図１３９ｈと同様であるが、カバーが側部パネルを有さず、垂直取付部材がカバーの端部に取り付けられている点が異なる図である。
【図１５１】図１３９ｈと同様であるが、カバーが側部パネルを有さず、垂直取付部材がカバーの端部に取り付けられている点が異なる図である。
【図１５２】図８４〜図９１と同様であるが、マットレスが図２４ａまたは図２４ｂに示すような封入材内に封入されているところを示す図である。
【図１５３】図８４〜図９１と同様であるが、マットレスが図２４ａまたは図２４ｂに示すような封入材内に封入されているところを示す図である。
【図１５４】図８４〜図９１と同様であるが、マットレスが図２４ａまたは図２４ｂに示すような封入材内に封入されているところを示す図である。
【図１５５】図８４〜図９１と同様であるが、マットレスが図２４ａまたは図２４ｂに示すような封入材内に封入されているところを示す図である。
【図１５６】図８４〜図９１と同様であるが、マットレスが図２４ａまたは図２４ｂに示すような封入材内に封入されているところを示す図である。
【図１５７】図８４〜図９１と同様であるが、マットレスが図２４ａまたは図２４ｂに示すような封入材内に封入されているところを示す図である。